(57)【特許請求の範囲】
【請求項１】
携帯用電気エネルギー貯蔵装置を充電するための携帯用充電装置の携帯用充電装置セキュリティシステムであって、
少なくとも一つのコントローラと
前記少なくとも一つのコントローラに結合された少なくとも一つの通信モジュールと、を備え、前記少なくとも一つのコントローラは、
前記携帯用充電装置によって充電される携帯用電気エネルギー貯蔵装置の認証に関する情報を受信し、
前記受信された認証に関する情報に基づいて、前記携帯用充電装置に前記携帯用電気エネルギー貯蔵装置を充電させることに関する決定を行い、
前記携帯用充電装置の使用状況を追跡するための充電に関する情報を記録し、かつ、通信するように構成されており、
前記受信された認証に関する情報は、前記携帯用電気エネルギー貯蔵装置に関連付けられた車両に関する情報を備える、携帯用充電装置セキュリティシステム。
【請求項２】
前記携帯用充電装置の使用状況を追跡するための前記充電に関する情報を記録し、かつ、通信することは、前記受信された認証に関する情報に基づいて前記携帯用電気エネルギー貯蔵装置を充電させることに関する前記決定に基づいている、請求項１に記載の携帯用充電装置セキュリティシステム。
【請求項３】
前記少なくとも一つのコントローラはさらに、前記携帯用電気エネルギー貯蔵装置が認証に関する前記情報に基づいて認証された場合に、前記携帯用電気エネルギー貯蔵装置を充電させるように構成されている、請求項１に記載の携帯用充電装置セキュリティシステム。
【請求項４】
前記携帯用電気エネルギー貯蔵装置を充電させることは、前記携帯用電気エネルギー貯蔵装置を充電させることを可能とする信号を送信することを含む、請求項３に記載の携帯用充電装置セキュリティシステム。
【請求項５】
さらに、
前記携帯用充電装置の少なくとも一方の端子と、前記携帯用充電装置の電源とに結合されたスイッチであって、前記携帯用充電装置のセキュリティシステムコントローラによって生成される制御信号によって作動されるように構成されるスイッチを備え、前記コントローラは：
前記携帯用電気エネルギー貯蔵装置の充電を可能とするように前記制御信号を送信し、これにより前記制御信号は、前記携帯用電気エネルギー貯蔵装置が認証に関する前記情報に基づき認証された場合に、前記携帯用電気エネルギー貯蔵装置を充電するために前記携帯用充電装置から電流を流させるような回路を完成するためにスイッチを閉鎖させ、
前記携帯用電気エネルギー貯蔵装置が前記携帯用充電装置から切断されると、前記携帯用充電装置から充電を提供しないように前記信号を送信し、これにより前記制御信号は、前記スイッチに前記回路を遮断させて前記携帯用充電装置から電流が流れることを妨げるように構成されている、請求項４に記載の携帯用充電装置セキュリティシステム。
【請求項６】
前記少なくとも一つのコントローラは、前記携帯用充電装置と前記携帯用電気エネルギー貯蔵装置との間で送信される近距離通信（ＮＦＣ）の無線信号を通じて認証に関する前記情報を受信するように構成されている、請求項１に記載の携帯用充電装置セキュリティシステム。
【請求項７】
前記少なくとも一つのコントローラはさらに、
前記携帯用充電装置によって提供される、または前記携帯用電気エネルギー貯蔵装置により受け取られる充電量に基づいて、前記携帯用充電装置の使用状況を追跡するように構成されている、請求項１に記載の携帯用充電装置セキュリティシステム。
【請求項８】
前記少なくとも一つのコントローラはさらに、
前記携帯用充電装置または前記携帯用電気エネルギー貯蔵装置に関連付けられたユーザアカウントに基づいて、前記携帯用充電装置の使用状況を追跡するように構成されている、請求項１に記載の携帯用充電装置セキュリティシステム。
【請求項９】
前記少なくとも一つのコントローラはさらに、
前記携帯用電気エネルギー貯蔵装置を充電するために前記携帯用充電装置の使用状況に関する情報を外部機器と通信するように構成されている、請求項１に記載の携帯用充電装置セキュリティシステム。
【請求項１０】
前記少なくとも一つのコントローラはさらに、
前記携帯用充電装置の使用状況に関する情報を、前記携帯用充電装置および前記携帯用電気エネルギー貯蔵装置の少なくとも一方に関連付けられたユーザアカウントと関連付けるように構成されている、請求項１に記載の携帯用充電装置セキュリティシステム。
【請求項１１】
前記携帯用電気エネルギー貯蔵装置の認証に関する前記情報は、前記車両に関連付けられたユーザの情報をさらに備える、請求項１に記載の携帯用充電装置セキュリティシステム。
【請求項１２】
携帯用電気エネルギー貯蔵装置セキュリティシステムにおける方法であって、
携帯用電気エネルギー貯蔵装置を充電するために前記携帯用電気エネルギー貯蔵装置と接続される携帯用充電装置の認証に関する情報を受信し、
認証に関する前記受信された情報に基づいて前記携帯用充電装置から充電を行わせることに関する決定を行い、
前記携帯用充電装置の使用状況を追跡するために、前記充電に関する情報を記録し、かつ、通信し、
前記携帯用充電装置の認証に関する情報は、前記携帯用充電装置に関連付けられた車両に関する情報を備える、方法。
【請求項１３】
前記携帯用充電装置の使用状況を追跡するために前記充電に関する情報を記録し、かつ、通信することは、認証に関する前記受信された情報に基づいて前記携帯充電装置から充電を行わせることに関する前記決定に基づいている、請求項１２に記載の方法。
【請求項１４】
さらに、前記携帯用充電装置が認証に関する前記情報に基づき認証された場合、前記携帯用充電装置からの充電を前記携帯用電気エネルギー貯蔵装置が受け取ることを含む、請求項１２に記載の方法。
【請求項１５】
前記携帯用電気エネルギー貯蔵装置が充電を受け取ることは、前記携帯用電気エネルギー貯蔵装置が充電されることを可能とする信号を送信することを含む、請求項１４に記載の方法。
【請求項１６】
さらに、
前記携帯用電気エネルギー貯蔵装置セキュリティシステムのコントローラによって生成される制御信号によって、前記携帯用電気エネルギー貯蔵装置の少なくとも一つの端子と前記携帯用電気エネルギー貯蔵装置のセルとに結合されたスイッチを作動し、
前記携帯用充電装置が認証に関する前記情報に基づき認証された場合に、前記携帯用電気エネルギー貯蔵装置を充電させるために前記携帯用充電装置から電流を流させるような回路を完成するためにスイッチを閉鎖させることによって前記携帯用電気エネルギー貯蔵装置に充電を可能とするような前記信号を送信し、
前記携帯用電気エネルギー貯蔵装置が前記携帯用充電装置から切断されると、前記スイッチに前記回路を遮断させて前記携帯用充電装置から電流が流れることを妨げることによって前記携帯用電気エネルギー貯蔵装置に充電を受け取らせないような信号を送信する、請求項１５に記載の方法。
【請求項１７】
前記携帯用充電装置の認証に関する情報を受信することは、前記携帯用充電装置と前記携帯用電気エネルギー貯蔵装置との間で送信される近距離通信（ＮＦＣ）の無線信号を通じて認証に関する前記情報を受信することを含む、請求項１２に記載の方法。
【請求項１８】
さらに、前記携帯用電気エネルギー貯蔵装置により受け取られた前記携帯用充電装置からの充電量に基づいて、前記携帯用充電装置の使用状況を追跡することを含む、請求項１２に記載の方法。
【請求項１９】
さらに、前記携帯用充電装置または前記携帯用電気エネルギー貯蔵装置に関連付けられたユーザアカウントに基づいて、前記携帯用充電装置の使用状況を追跡することを含む、請求項１２に記載の方法。
【請求項２０】
さらに、前記携帯用電気エネルギー貯蔵装置を充電するために前記携帯用充電装置の使用状況に関する情報を外部機器と通信することを含む、請求項１２に記載の方法。
【請求項２１】
さらに、前記携帯用充電装置の使用状況に関する情報を、前記携帯用充電装置および前記携帯用電気エネルギー貯蔵装置の少なくとも一方に関連付けられたユーザアカウントと関連付けることを含む、請求項１２に記載の方法。
【請求項２２】
前記携帯用充電装置の認証に関する前記情報は、前記車両に関連付けられたユーザに関する情報をさらに備える、請求項１２に記載の方法。
【請求項２３】
電源を充電する充電装置と
前記電源と作動可能に結合されたセキュリティシステムと、を備えた携帯用充電装置であって、前記セキュリティシステムは、
近距離通信信号を通じて前記携帯用充電装置によって充電される携帯用電気エネルギー貯蔵装置の認証に関する情報を受信し、
前記携帯用電気エネルギー貯蔵装置の認証に関する前記受信された情報に基づいて、前記携帯用充電装置から前記携帯用電気エネルギー貯蔵装置への充電を提供させる、あるいは前記携帯用充電装置から前記携帯用電気エネルギー貯蔵装置への前記充電の提供を妨げ、
前記携帯用充電装置の使用状況を追跡するための充電に関する情報を前記携帯用電気エネルギー貯蔵装置に記録させ、かつ、通信させるように構成されており、
前記携帯用電気エネルギー貯蔵装置の認証に関する情報は、前記携帯用電気エネルギー貯蔵装置に関連付けられた車両に関する情報を備える、携帯用充電装置。
【請求項２４】
前記セキュリティシステムは、さらに、前記携帯用電気エネルギー貯蔵装置の認証に関する情報のために前記セキュリティシステムからの要求を受信した応答または受信した応答の欠如に基づいて、前記携帯用電気エネルギー貯蔵装置を充電するための前記携帯用充電装置からどれだけのエネルギーを放出するかを決定するように構成されている、請求項２３に記載の携帯用充電装置。
【請求項２５】
前記セキュリティシステムは、さらに、前記携帯用電気エネルギー貯蔵装置の認証に関する前記受信された情報に基づいて、前記携帯用電気エネルギー貯蔵装置に前記携帯用充電装置による充電を受け取らせる制御信号を送信するように構成されている、請求項２３に記載の携帯用充電装置。
【請求項２６】
携帯用電気エネルギー貯蔵装置セキュリティシステムにおける方法であって、
セキュリティシステムコントローラによって、近距離無線通信信号を通じて携帯用電気エネルギー貯蔵装置のための充電装置の認証に関する情報を受信し、
前記充電装置の認証に関する前記受信した情報に基づいて、前記セキュリティシステムコントローラによって前記携帯用電気エネルギー貯蔵装置を放電させるか、前記セキュリティシステムコントローラによって前記携帯用電気エネルギー貯蔵装置の放電を妨げ、
前記携帯用充電装置の使用状況を追跡するための充電に関する情報を前記携帯用電気エネルギー貯蔵装置に記録させ、かつ、通信させることを含み、
前記充電装置の認証に関する情報は、前記充電装置に関連付けられた車両に関する情報を備える、方法。
【請求項２７】
前記充電装置の認証に関する前記受信された情報は、前記携帯用電気エネルギー貯蔵装置の検出された充電レベルが増加する前に認証が行われることなく前記検出された充電レベルが増加していることを示す情報であり、前記セキュリティシステムは、前記携帯用電気エネルギー貯蔵装置の前記検出された充電レベルが増加する前に前記認証が行われることなく前記検出された充電レベルが増加していることを示す前記情報を受信することに応答して、前記携帯用電気エネルギー貯蔵装置の放電を妨げるように構成されている、請求項２６に記載の方法。
【発明の詳細な説明】
【技術分野】
【０００１】
この開示は、一般に、例えば輸送および非輸送要素の各種分野あるいは適用に適した、充電式電力貯蔵装置および携帯用充電装置（例えば、二次電池、スーパーキャパシタあるいはウルトラキャパシタ）への充電あるいはこれらの装置からのエネルギー放出に関する。
【背景技術】
【０００２】
携帯用電力貯蔵装置の用途あるいは適用は多岐にわたっている。
【０００３】
その適用の一つは、輸送分野である。ハイブリッド車および完全電気自動車がますます普及している。このような車両は、従来の内燃機関を有する自動車よりも多くの利点を備え得る。例えば、ハイブリッド車あるいは電気自動車は高い燃料効率を達成しつつ、排気管からの汚染を少なくあるいはゼロにし得る。特に、完全電気自動車は排気管からの汚染がゼロになるだけでなく、全体の汚染も低くし得る。例えば、電力は再生可能資源（例えば、太陽光、水力）から生成し得る。また例えば電力は大気汚染のない（例えば、原子力プラント）生成プラントによって生成され得る。また例えば電力は、内燃機関よりも高効率で、および／または各車両で用いられる際に大きすぎず高価すぎない汚染制御・除去システム（例えば、産業空気洗浄器）を採用する、比較的「クリーンなバーニング」燃料（例えば、天然ガス）を燃焼させる生成プラントによって生成され得る。
【０００４】
燃焼機関駆動型のスクータおよび／またはオートバイなどの個人運搬用車両は多くの地域で、例えばアジアの多くの大都市で定着している。このようなスクータおよび／またはオートバイは、特に自動車、四輪車あるいはトラックと比較すると、比較的低価格である。多くの燃焼機関型スクータおよび／またはオートバイが走行する都市では、また、人口が非常に過密であって、高レベルの大気汚染に苦しんでいる傾向にある。現在では、多くの燃焼機関型スクータおよび／またはオートバイには、個人輸送のための比較的低い汚染資源が搭載されている。例えば、このようなスクータおよび／またはオートバイはより大型な車両よりも長い走行距離を有し得る。スクータおよび／またはオートバイは基本的な汚染制御装置（例えば、触媒コンバータ（触媒型排ガス浄化装置））を備え得る。残念ながら、工場規制放出レベルは、スクータおよび／またはオートバイを用いるとすぐに超えてしまい、スクータおよび／またはオートバイの使用時に、例えば触媒コンバータによる意図されたあるいは意図されない除去によっても維持されることがない。スクータおよび／またはオートバイの所有者あるいは運転手はこのような車両を維持するための財源やモチベーションに欠けている場合もある。
【０００５】
大気汚染は、人体の健康に悪影響を与え、各種疾患を引き起こしたり悪化させたりする可能性があることが知られている（大気汚染が、肺気腫、ぜんそく、肺炎、嚢胞性線維症、ならびに各種循環器疾患につながるとの多くの報告がある）。多くの人がこのような疾患にかかり、人々のクオリティ・オブ・ライフがひどく損なわれている。
【発明の概要】
【課題を解決するための手段】
【０００６】
燃焼機関に代わる排気管汚染のない手段は、大気の質、そして人々の健康にとって大きな意義がある。
【０００７】
完全電気自動車によるゼロ排気エミッションが歓迎されているものの、多くの人に電気自動車が受け入れられるようになるには時間がかかる。その理由の一つは、費用、特に二次電池の費用によるものだと思われる。その他の理由としては、バッテリの一回の充電で走行可能な距離は限られており、消耗したときの二次電池の再充電完了までに比較的長い時間（例えば、数時間）を要することにあると思われる。
【０００８】
以下に記載のアプローチは、特に過密人口で人々が限られた財源を有する都市において、ゼロ排気管放出技術の適用が制限されているという問題に対処し得る。
【０００９】
例えば、以下に記載のアプローチは、キオスクあるいは自動販売機と定義され得る、収集・充電・分配マシンを採用し、電力貯蔵装置（例えば、バッテリ、スーパーキャパシタあるいはウルトラキャパシタ）を収集および分配することである。このようなマシンは、その都市あるいは地域の各種場所、例えば、コンビニエンスストアや既存のガソリンスタンドに配置され得る。
【００１０】
この収集・充電・分配マシンは、エンドユーザによって使用される、フル充電あるいはほぼフルに充電された電気貯蔵装置のストックを保持し得る。収集・充電・分配マシンは、例えばエンドユーザが戻った際に使い切られた電気貯蔵装置を受け取り、次のエンドユーザによって再利用されるためにこれらを再充電し得る。
【００１１】
すなわち、収集・充電・分配マシンはフル充電されたバッテリを棚卸したり特定のユーザに都合よく配置したりする必要がない場合には、エンドユーザは携帯用充電装置を用いてそれらのバッテリあるいは他の電力貯蔵装置を充電することを望む。これにより、収集・充電・分配マシンにおける、費用、利用の制限、並びに範囲の制限や比較的長い充電時間といった問題に対処し得る。
【００１２】
上述の通り、二次電池およびその他の電力貯蔵装置は比較的高価である。そのため、上記の要求を満たすことは確保しつつも、できるだけ少ない数の電力貯蔵装置をストックすることが有利である。これは、少ない充電バッテリが収集・充電・分配マシンでストックされて、ユーザが携帯用充電装置を用いることで容易となる。
【００１３】
携帯用電気エネルギー貯蔵装置を充電するための携帯用充電装置の携帯用充電装置セキュリティシステムは、少なくとも一つのコントローラと、前記少なくとも一つのコントローラと結合されている少なくとも一つの通信モジュールと、を含み、前記少なくとも一つのコントローラは、前記携帯用充電装置によって充電される携帯用電気エネルギー貯蔵装置の認証に関する情報を受信し、前記受信した認証に関する情報に基づいて前記携帯用充電装置によって前記携帯用電気エネルギー貯蔵装置を充電させることに関する決定を行い、前記充電させることに関する情報を記録あるいは通信して前記携帯用充電装置の使用状況を追跡するように構成されているものとして要約され得る。前記充電させることに関する情報を記録あるいは通信して前記携帯用充電装置の使用状況を追跡することは、前記受信した認証に関する情報に基づいて前記携帯用電気エネルギー貯蔵装置を充電させることに関する前記決定に基づき得る。
【００１４】
前記少なくとも一つのコントローラは、さらに、前記携帯用電気エネルギー貯蔵装置が認証に関する前記情報に基づいて認証されている場合に、前記携帯用電気エネルギー貯蔵装置の充電を行わせるように構成され得る。前記携帯用電気エネルギー貯蔵装置の充電を行わせることは、前記携帯用電気エネルギー貯蔵装置を充電させ得るような信号を送信することを含み得る。
【００１５】
前記携帯用充電装置セキュリティシステムは、さらに、前記携帯用充電装置の少なくとも一つの端子と前記携帯用充電装置の電源に結合されているスイッチを含み、前記スイッチは前記携帯用充電装置セキュリティシステムの前記コントローラによって生成されるコントロール信号によって起動するように構成され、前記コントローラは、前記携帯用電気エネルギー貯蔵装置を充電させるような信号を送信し、前記コントロール信号は、前記携帯用電気エネルギー貯蔵装置が認証に関する情報に基づいて認証されている場合に前記携帯用電気エネルギー貯蔵装置を充電させる前記携帯用充電装置から電流を流させるように回路を構成するように前記スイッチを閉じさせるものであり、前記携帯用電気エネルギー貯蔵装置を前記携帯用充電装置との接続から切断する際に、前記携帯用充電装置からの充電の提供を妨げるような前記信号を送信するように構成されている、ここで、前記コントロール信号は、前記スイッチに前記回路を遮断させて前記携帯用充電装置から電流を流すことを妨げるものである。前記少なくとも一つのコントローラは、前記携帯用充電装置と前記携帯用電気エネルギー貯蔵装置との間で送信される近距離（ＮＦＣ）無線信号を通じて認証に関する前記情報を受信するように構成され得る。
【００１６】
前記少なくとも一つのコントローラは、さらに、前記携帯用充電装置によって提供されるあるいは前記携帯用電気エネルギー貯蔵装置によって受信される充電量に基づいて前記携帯用充電装置の使用状況を追跡するように構成され得る。
【００１７】
前記少なくとも一つのコントローラは、さらに、前記携帯用充電装置あるいは前記携帯用電気エネルギー貯蔵装置に関連付けられるユーザアカウントに基づいて前記携帯用充電装置の使用状況を追跡するように構成され得る。
【００１８】
前記少なくとも一つのコントローラは、さらに、前記携帯用充電装置の使用状況に関する情報を外部装置に通信して、前記携帯用電気エネルギー貯蔵装置を充電するように構成され得る。
【００１９】
前記少なくとも一つのコントローラは、さらに、前記携帯用充電装置の使用状況に関する情報を、前記携帯用充電装置あるいは前記携帯用電気エネルギー貯蔵装置のうちの一方あるいは双方に関連付けられるユーザアカウントと関連付けられるように構成され得る。前記携帯用電気エネルギー貯蔵装置の認証に関する前記情報は、前記携帯用電気エネルギー貯蔵装置に関連付けられる車両および前記車両に関連付けられるユーザの一方あるいは双方に関する情報であり得る。
【００２０】
前記携帯用電気エネルギー貯蔵装置セキュリティシステムにおける方法は、前記携帯用電気エネルギー貯蔵装置を充電するために前記携帯用電気エネルギー貯蔵装置と接続される携帯用充電の認証に関する情報を受信し、前記受信した認証に関する情報に基づいて前記装置から充電させることに関する決定を行い、前記充電させることに関する情報を記録あるいは通信して前記携帯用充電装置の使用状況を追跡することを含むように要約され得る。前記充電させることに関する情報を記録あるいは通信して前記携帯用充電装置の使用状況を追跡することは、認証に関する前記受信した情報に基づいて前記携帯用充電装置から前記充電を行わせることに関する前記決定に基づき得る。
【００２１】
前記方法は、さらに、前記携帯用充電装置か前記認証に関する情報に基づいて認証されている場合に、前記携帯用充電装置からの充電を前記携帯用電気エネルギー貯蔵装置に受け取らせることを含み得る。前記携帯用電気エネルギー貯蔵装置に前記充電を受け取らせることは、前記携帯用電気エネルギー貯蔵装置に充電させるための信号を送信することを含み得る。
【００２２】
前記方法は、さらに、前記携帯用充電装置の少なくとも一つの端子と前記携帯用充電装置のセルとに結合されているスイッチを、前記携帯用充電装置セキュリティシステムの前記コントローラによって生成される制御信号によって起動し、前記携帯用電気エネルギー貯蔵装置が認証に関する情報に基づいて認証されている場合に、前記携帯用充電装置から前記携帯用電気エネルギー貯蔵装置を充電させるための電流を流させるような回路を構成するように前記スイッチを閉鎖させて、前記携帯用電気エネルギー貯蔵装置を充電させるような信号を送信するとともに、前記携帯用電気エネルギー貯蔵装置が前記携帯用充電装置から切断される場合には、前記スイッチに前記回路を遮断させて前記携帯用充電装置から電流を流すことを妨げることによって、前記携帯用充電装置からの充電を受け取らせないような前記信号を送信することを含み得る。前記携帯用充電装置の認証に関する前記情報を受信することは、前記携帯用充電装置と前記携帯用電気エネルギー貯蔵装置との間で送信される近距離通信（ＮＦＣ）無線信号を通じて認証に関する前記情報を受信することを含み得る。
【００２３】
前記方法は、さらに、前記携帯用充電装置から提供され前記携帯用電気エネルギー貯蔵装置によって受け取られた充電量に基づいて前記携帯用充電装置の使用状況を追跡することを含み得る。
【００２４】
前記方法は、さらに、前記携帯用充電装置あるいは前記携帯用電気エネルギー貯蔵装置に関連付けられるユーザアカウントに基づいて前記携帯用充電装置の使用状況を追跡することを含み得る。
【００２５】
前記方法は、さらに、前記携帯用充電装置の使用状況に関する情報を外部装置と通信して、前記携帯用電気エネルギー貯蔵装置を充電することを含み得る。
【００２６】
前記方法は、さらに、前記携帯用充電装置の使用状況に関する情報を、前記携帯用充電装置および前記携帯用電気エネルギー貯蔵装置の少なくとも一方に関連付けられるユーザアカウントと関連付けることを含み得る。前記携帯用充電装置の認証に関する前記情報は、前記携帯用充電装置に関連付けられる車両および前記車両に関連付けられるユーザの少なくとも一方に関する情報であり得る。
【００２７】
携帯用充電装置は、電源を充電する充電装置と、前記電源に操作可能に結合されるセキュリティシステムと、を備え、前記セキュリティシステムは、前記携帯用充電装置によって充電される携帯用電気エネルギー貯蔵装置の認証に関する情報を近距離信号を通じて受信し、前記携帯用電気エネルギー貯蔵装置の認証に関する前記受信した情報に基づいて、前記携帯用電気エネルギー貯蔵装置への充電を提供する、あるいは前記携帯用充電装置からの充電の提供を妨げるように構成されているものとして要約され得る。
【００２８】
前記セキュリティシステムは、さらに、前記携帯用電気エネルギー貯蔵装置の認証に関する前記情報についての前記セキュリティシステムからの要求に対する応答の存在あるいは不存在に基づいて、前記携帯用電気エネルギー貯蔵装置を充電するためにどのくらいのエネルギーを前記携帯用充電装置から放出するかを決定するように構成され得る。
【００２９】
前記セキュリティシステムは、さらに、前記携帯用電気エネルギー貯蔵装置の認証に関する前記受信した情報に基づいて、前記携帯用充電装置によって前記携帯用電気エネルギー貯蔵装置を充電させるような信号を送信するように構成され得る。
【００３０】
前記携帯用電気エネルギー貯蔵装置セキュリティシステムにおける方法は、セキュリティシステムコントローラによって、近距離信号を通じて携帯用電気エネルギー貯蔵装置用の充電装置の認証に関する情報を受信し、セキュリティシステムコントローラによって、前記充電装置の認証に関する受信した情報に基づいて前記携帯用電気エネルギー貯蔵装置を放電させる、あるいは放電させないことを含むものとして要約され得る。
【００３１】
前記充電装置の認証に関する受信した情報は、前記携帯用電気エネルギー貯蔵装置の検出された充電レベルを示す情報であり、ここで、前記検出充電レベルは検出された上昇の前に認証が行われることなく上昇するものであり、前記セキュリティシステムは、前記検出された増加の前に認証が行われることなく上昇する前記携帯用電気エネルギー貯蔵装置の前記検出充電レベルを示す前記情報を受信することによって前記携帯用電気エネルギー貯蔵装置を放電させないように構成され得る。
【００３２】
図面において、同一の参照番号は類似の要素あるいは動作を示すものである。図面における要素のサイズや相対位置は必要以上に規定されるものではない。例えば、各種要素の形状や角度は図示に規定されるものではなく、これらの要素のいくつかは、図示しやすいように任意に拡大あるいは位置決めされている。さらに、図示された要素の特定の形状は当該特定要素の実際の形状に関する情報を伝えることは意図するものではなく、図面において認識を容易にするために単に選択されたものである。
【図面の簡単な説明】
【００３３】
【図１】一つの非限定的な例示的実施形態による、多くの電力貯蔵装置を備えた収集・充電・分配マシンを電気スクータあるいはオートバイ、および送電系統（電気グリッド）を介して提供される電力サービスとともに示した概略図である。
【図２】一つの非限定的な例示的実施形態による、図１に示される携帯用電気エネルギー貯蔵装置の収集、充電および分配のための図１の収集・充電・分配マシンのブロック図である。
【図３Ａ】一つの非限定的な例示的実施形態による、図１の携帯用充電装置と接続されて通信する携帯用電気エネルギー貯蔵装置のブロック図である。
【図３Ｂ】一つの非限定的な例示的実施形態による、図１の携帯用電気エネルギー貯蔵装置と接続されバックエンドあるいはバックオフィスシステムと通信する携帯用充電装置のブロック図である。
【図３Ｃ】一つの非限定的な例示的実施形態による、図１の携帯用電気エネルギー貯蔵装置および／または車両と接続されて通信する携帯用充電装置のブロック図である。
【図４】各種非限定的な例示的実施形態による、図３Ａ、図３Ｂあるいは図３Ｃのセキュリティシステムコントローラの概略図である。
【図５】一つの非限定的な例示的実施形態による、図４のセキュリティシステムコントローラを操作する第一の方法を示すフロー図である。
【図６】一つの非限定的な例示的実施形態による、図４のセキュリティシステムコントローラを操作する第二の方法を示すフロー図である。
【図７】一つの非限定的な例示的実施形態による、図４のセキュリティシステムコントローラを操作する第三の方法を示すフロー図である。
【発明を実施するための形態】
【００３４】
以下の記述では、幾つかの具体的詳細は、種々の開示された実施形態の完全な理解を提供するために示される。しかしながら、当業者は、実施形態が、これらの具体的詳細の一つ以上を含まずに実施され得る、または他の方法、コンポーネント、材料などによって実施され得ることを理解するであろう。その他の例では、販売機、バッテリ、スーパーキャパシタあるいはウルトラキャパシタ、コンバータ、整流器、ＤＣ／ＤＣ電力コンバータ、スイッチモード電力コンバータ等を含むがこれらに限定されない電力コンバータ、コントローラ、および通信システム、並びに構造およびネットワークと関連した周知の構造は、実施形態の記述を必要以上に不明瞭にしないように詳細に提示も記載もされない。
【００３５】
文脈で特に必要とされない限り、以下の明細および特許請求の範囲全体にわたって、用語「ｃｏｍｐｒｉｓｅ（含む）」とその変形（「ｃｏｍｐｒｉｓｅｓ」や「ｃｏｍｐｒｉｓｉｎｇ」など）は、「含むがこれらに限定されない」という非限定的で包括的な意味で解釈されるべきである。
【００３６】
本明細書全体にわたる「ｏｎｅ  ｅｍｂｏｄｉｍｅｎｔ」又は「ａｎ  ｅｍｂｏｄｉｍｅｎｔ」の言及は、実施形態と関連して示された特定の特徴、構造又は特性が、少なくとも一つの実施形態に含まれることを意味する。したがって、本明細書全体にわたる各種場所に出現する句「ｉｎ  ｏｎｅ  ｅｍｂｏｄｉｍｅｎｔ」又は「ｉｎ  ａｎ  ｅｍｂｏｄｉｍｅｎｔ」は、必ずしも全て同じ実施形態を指すとは限らない。
【００３７】
第１、第２、第３などの序数の使用は、必ずしも格付けされた順序を意味せず、動作または構造の複数の例を区別しない。
【００３８】
携帯用電力（あるいは電気エネルギー）貯蔵装置は、以下に限定されないものの、バッテリ、スーパーキャパシタあるいはウルトラキャパシタを含む、電力を貯蔵して貯蔵された電力を放出する機能を有するあらゆる装置を意味する。バッテリは、以下に限定されないものの、化学貯蔵セル、例えば、ニッケルカドミウム合金あるいはリチウムイオンバッテリセルを含む、再充電可能あるいは二次電池セルを意味する。
【００３９】
本明細書に示された見出しと開示の要約は、単に便宜上のものであり、実施形態の範囲や意味として解釈されるものではない。
【００４０】
図１は、一つの非限定的な例示的実施形態による、収集・充電・分配マシン１０２を含む環境１００を示す。
【００４１】
収集・充電・分配マシン１０２は、自動販売機あるいはキオスクの形式で提供される。収集・充電・分配マシン１０２は、複数のレシーバ（収容部）、コンポーネント、あるいはレセプタクル（貯蔵部）１０２ａ、１０４ｂ〜１０４ｎ（図１では、まとめて１０４として図示されている３つのみが示されている）を備え、収集、充電および分配用の携帯用電気エネルギー貯蔵装置（例えば、バッテリ、スーパーキャパシタあるいはウルトラキャパシタ）１０６ａ〜１０６ｈ（まとめて１０６とする）を着脱可能に受け入れる。図１に示されるように、レシーバ１０４のいくつかは空であり、他のレシーバ１０４は携帯用電気エネルギー貯蔵装置１０６を保持している。図１は各レシーバ１０４に対して一つの携帯用電気エネルギー貯蔵装置１０６を図示しているが、いくつかの実施形態においては、各レシーバ１０４が二つあるいはそれ以上の携帯用電気エネルギー貯蔵装置１０６を保持し得る。例えば、レシーバ１０４のそれぞれは、三つの携帯用電気エネルギー貯蔵装置１０６を収容するのに十分な深さを備え得る。そのため、例えば、図１に示される収集・充電・分配マシン１０２は、４０個、８０個あるいは１２０個の携帯用電気エネルギー貯蔵装置１０６を同時に保持可能なキャパシティを有し得る。
【００４２】
携帯用電気エネルギー貯蔵装置１０６は、例えば、バッテリ（例えば、バッテリセル・アレイ）、スーパーキャパシタあるいはウルトラキャパシタ（ウルトラキャパシタ・セル・アレイ）のような各種形式を採り得る。例えば、携帯用電気エネルギー貯蔵装置１０６は、再充電型バッテリ（つまり、二次セルあるいはバッテリ）の形式を採り得る。携帯用電気エネルギー貯蔵装置１０６は、例えば、完全電気（全電化）スクータ並びにオートバイなどの電気駆動型個人輸送車両に物理的に合うようなサイズにされている。上述の通り、内燃機関型スクータ並びにモーターバイクは、多くの大都市、例えば、アジア、ヨーロッパ、中東で普及している。その都市あるいはその地域全体で充電バッテリへ便利にアクセスできれば、内燃機関型スクータ並びにオートバイに代わって完全電気スクータ並びにオートバイの使用が促進され、それにより、大気汚染および騒音が軽減される。
【００４３】
携帯用電気エネルギー貯蔵装置１０６（携帯用電気エネルギー貯蔵装置１０６ｚのみ視覚化されている）は、携帯用電気エネルギー貯蔵装置１０６ｚの外部からアクセス可能な、多くの電気端子１１０ａ，１１０ｂ（２つのみ図示されている、まとめて１１０とする）を含み得る。電気端子１１０は、携帯用電気エネルギー貯蔵装置１０６ｚから電気を提供させるとともに、携帯用電気エネルギー貯蔵装置１０６ｚを充電あるいは再充電するために当該装置を充電するためのものである。上述の通り図１に示されるように、電気端子１１０は、バッテリハウジング内のスロット内に位置する電気端子を含む、携帯用電気エネルギー貯蔵装置１０６ｚの外部からアクセス可能なその他の形式を採り得る。
【００４４】
携帯用電気エネルギー貯蔵装置１０６ｚが公衆に貸与、リースおよび／または貸出される場合に、収集・充電・分配マシン１０２の外にあるか、さもなければユーザの所有物であったとしても、どのようにおよびどのような環境で携帯用電気エネルギー貯蔵装置１０６が充電および／または放電されるかをコントロールすることが望ましい。また、図３Ａ〜３Ｃに示されるような、一つ以上の携帯用電気エネルギー貯蔵装置１０６を充電するための一つ以上の携帯用充電装置３５０が公衆に貸与、リース、販売および／または賃貸され得る。そのため、収集・充電・分配マシン１０２の外にあるか、さもなければユーザの所有物であったとしても、どのようにおよびどのような環境で携帯用電気エネルギー貯蔵装置１０６がこれらの携帯用充電装置３５０によって充電されるかをコントロールすることも望ましい。この携帯用電気エネルギー貯蔵装置１０６およびその充電の管理は、盗難および／または誤使用を防ぐことに役立ち、携帯用電気エネルギー貯蔵装置１０６の各種パフォーマンスレベルをコントロールすることもできる。携帯用充電装置３５０、携帯用電気エネルギー貯蔵装置１０６の認証、セキュリティおよび制御システムおよびその方法、および携帯用電気エネルギー貯蔵装置１０６の充電の認証、セキュリティおよび制御システムおよびその方法（このような充電およびエネルギー放出を制御するためのセキュリティシステムを含む）が、図２〜７を参照して以下で詳細に説明される。このようなシステムおよび方法は、本明細書で説明される携帯用電気エネルギー貯蔵装置１０６の収集、充電および分配のためのシステム全体に役立てられる。
【００４５】
一つの実施形態において、収集・充電・分配マシン１０２は、収集・充電・分配マシン１０２が各種エンドユーザによって都合よく容易にアクセス可能となるロケーション１１２に配置されている。このロケーションは、数多くの形態、例えば、コンビニエンスストア、スーパーマーケット、ガソリンスタンド、あるいはサービスショップ等の小売業環境を採り得る。代替的に、収集・充電・分配マシン１０２は既存の小売業とは無関係なロケーション１１２、例えば公共駐車場やその他の公共の場に独立して設けられても良い。そのため、例えば、収集・充電・分配マシン１０２は、ある都市あるいはある地域全体にわたってコンビニエンスストア・チェーンの各店舗に設置され得る。このことは、有利には、コンビニエンスストアは、ターゲット集団あるいはターゲット層への利便性に基づいて配置あるいは分布されることが多いという事実に依存し得る。このことは、有利には、収集・充電・分配マシン１０２の広域ネットワークにより、その都市あるいはその地域において素早く展開できるように、店頭あるいはその他の小売立地における既存のリースに依存し得る。ターゲット集団に対して地理的に良好に分布される大規模ネットワークを早期に達成することにより、このようなシステムによって決まるキャパシティやこのような試みによる商業的成功の可能性を高めることができる。
【００４６】
ロケーション１１２は、例えば高圧線等の送電系統１１６を介して（不図示の）生成ステーションから電力を受け取る電気サービス１１４を含み得る。電気サービス１１４は、例えば、電気サービスメータ１１４ａ、回路パネル（例えば、回路遮断器パネルあるいはヒューズボックス）１１４ｂ、配線１１４ｃ、および電気出力部１１４ｄを備え得る。ロケーション１１２は既存の小売店あるいはコンビニエンスストアであり、電気サービス１１４も既存の電気サービスであって、定格（例えば、１２０ボルト、２４０ボルト、２２０ボルト、２３０ボルト、１５アンペア）に制限されるものであっても良い。
【００４７】
小売ロケーション１１２のオペレータも、収集・充電・分配マシン１０２の所有者、配布者、あるいはオペレータも、電気サービス１１４をアップグレードする費用を負担することは望まない。一方で、エンドユーザによって使用される携帯用電気エネルギー貯蔵装置１０６の適切な供給を維持するためには素早い充電が望まれる。既存のあるいは定格の電気サービスを維持しつつ素早い充電を可能にすることは、２０１１年７月２６日付出願の米国仮特許出願番号６１／５１１，９００、タイトル「APPARATUS, METHOD AND ARTICLE FOR COLLECTION, CHARGING AND DISTRIBUTING POWER STORAGE DEVICES, SUCH AS BATTERIES」において対処されている。
【００４８】
収集・充電・分配マシン１０２は、任意で、再生可能な電力源を含むかそれと結合され得る。例えば、屋外に設置される収集・充電・分配マシン１０２は、太陽光（ＰＶ）セルアレイ１８を備え、日射から電力を生み出し得る。代替的に、収集・充電・分配マシン１０２は、ロケーション１１２における他の場所、例えば（不図示の）屋根の上やポールの上に設置される小型タービン（例えば、風力タービン）あるいはＰＶアレイと電気的に結合され得る。
【００４９】
収集・充電・分配マシン１０２は、（一つのみ図示された）バックエンド／バックオフィスシステム１２０といった、一つ以上の遠隔配置されたコンピュータシステムと通信可能に結合され得る。また、ここで用いられるように、用語「収集マシン」や「収集・分配マシン」は収集および分配のみに制限されたマシンを意味するものではなく、充電といった他の機能を発揮するものでありうる。バックエンド／バックオフィスシステム１２０は、一都市のような一地域に分布される複数の収集・充電・分配マシン１０２からデータを収集し、および／または当該マシンを制御し得る。バックエンド／バックオフィスシステム１２０は、一都市のような一地域に分布される複数の携帯用充電装置３５０および／または携帯用電気エネルギー貯蔵装置１０６からデータを収集し、これらの装置にデータを送信し、および／またはこれらの装置を制御し得る。通信は、一つ以上のネットワーク１２２を含む一つ以上の通信チャネル、あるいは非ネットワーク通信チャネルを通じて行われ得る。通信は、一つ以上の有線通信チャネル（例えば、ツイストペア配線、光ファイバ）、無線通信チャネル（例えば、ラジオ、マイクロウェーブ、衛星、８０１．１１準拠規格、近距離通信（ＮＦＣ）チャネル）を介してなされ得る。ネットワーク通信チャネルは、一つ以上のローカル・エリア・ネットワーク（ＬＡＮ）、ワイド・エリア・ネットワーク（ＷＡＮ）、エクストラネット、イントラネット、あるいはインターネットのワールドワイド・ウェブ部分を含むインターネットを含み得る。
【００５０】
収集・充電・分配マシン１０２は、ユーザインタフェース１２４を含み得る。ユーザインタフェースは、各種インプット／アウトプット（Ｉ／Ｏデバイス）を含み、エンドユーザと収集・充電・分配マシン１０２とを相互作用させ得る。各種Ｉ／Ｏデバイスは、図２を参照して以下で説明される。
【００５１】
図２は、一つの例示的実施形態による、図１の収集・充電・分配マシン１０２を示している。
【００５２】
収集・充電・分配マシン１０２は、制御サブシステム２０２、充電サブシステム２０４、通信サブシステム２０６、およびユーザインタフェース・サブシステム２０８を含んでいる。
【００５３】
制御サブシステム２０２は、各種センサから信号を受信し、ロジカル・オペレーションを行い、各種コンポーネントへ信号を送信可能なコントローラ２１０、例えば、マイクロプロセッサ、マイクロコントローラ、プログラマブル・ロジック・コントローラ（ＰＬＣ）、プログラマブル・ゲート・アレイ（ＰＧＡ）、特定用途向け集積回路（ＡＳＩＣ）あるいはその他のコントローラを含んでいる。特に、コントローラ２１０は、マイクロプロセッサ（例えば、ＩＮＴＥＬ、ＡＭＤ、ＡＴＯＭ）の形式を採り得る。制御サブシステム２０２はまた、一つ以上の非一時的プロセッサ、あるいはコンピュータ可読記憶媒体、例えばリード・オンリー・メモリ（ＲＯＭ）２１２、ランダム・アクセス・メモリ（ＲＡＭ）２１４およびデータストア２１６（例えば、フラッシュメモリやＥＥＰＲＯＭ等の固体型記憶媒体、ハードディスク等の回転型記憶媒体）を含み得る。非一時的プロセッサあるいはコンピュータ可読記憶媒体２１２，２１４，２１６はコントローラ２１０の一部であるあらゆる非一時的記憶媒体（例えば、レジスタ）に加えて設けられ得る。制御サブシステム２０２は、各種コンポーネントとともに設けられる一つ以上のバス２１８（一つのみ図示）、例えば一つ以上のパワーバス、インストラクションバス、データバス等を含み得る。
【００５４】
図示の通り、ＲＯＭ２１２、または非一時的プロセッサあるいはコンピュータ可読記憶媒体２１２，２１４，２１６のその他の一つは、インストラクション、および／または変数あるいはパラメータのデータまたは値を格納する。一組のデータは、例えば、ルックアップテーブル、データベース上での一組のレコードといった各種様式をとり得る。インストラクションおよび一組のデータまたは値は、コントローラ１１０によって実行可能である。インストラクションおよび一組のデータあるいは値を実行することで、収集・充電・分配マシン１０２に携帯用エネルギー貯蔵装置の収集、充電および分配を行わせるような具体的な動作をコントローラ１１０に行わせる。収集・充電・分配マシン１０２の具体的な操作は、携帯用電気エネルギー貯蔵装置１０６を充電する携帯用充電装置３５０についての文脈として以下に説明される。
【００５５】
コントローラ２１０は、インストラクション、データ等の揮発性ストレージのために、従来の方法でＲＡＭ２１４を用い得る。コントローラ２１０は、情報、例えば携帯用電気エネルギー貯蔵装置１０６の収集、充電および／または分配あるいは収集に関する、および／または収集・充電・分配マシン１０２自体の操作に関する遠隔測定情報をデータストア２１６を用いて記録しあるいは保持し得る。インストラクションはコントローラ２１０によって実行可能であり、エンドユーザあるいはオペレータの入力に応じて、変数あるいはパラメータのデータまたは値を用いることで、収集・充電・分配マシン１０２の操作を制御する。
【００５６】
制御サブシステム２０２は、収集・充電・分配マシン１０２の各種センサおよび／または他のコンポーネントからの信号を受信する、ここで信号は、そのような他のコンポーネントの操作、ステータス、または状態を特徴づけるあるいは示す情報を含む。センサは、図２において適切な添え字とともに円の中に記載されている文字Ｓによって示されている。
【００５７】
例えば、一つ以上の位置センサＳＰ１−ＳＰＮが、レシーバ１０４の各々における携帯用電力貯蔵装置１０６の有無を検出し得る。位置センサＳＰ１−ＳＰＮは、各種形態をとり得る。例えば、位置センサＳＰ１−ＳＰＮは、携帯用電力貯蔵装置１０６がレシーバ１０４に挿入される際に、各携帯用電力貯蔵装置１０６の一部との接触に応答して開閉されるメカニカルスイッチの形態をとり得る。また、位置センサＳＰ１−ＳＰＮは、例えば、携帯用電力貯蔵装置１０６がレシーバ１０４に挿入される際に、各携帯用電力貯蔵装置１０６の一部との接触に応答して開閉される光スイッチ（すなわち、光源およびレシーバ）の形態をとり得る。また、位置センサＳＰ１−ＳＰＮは、例えば、携帯用電力貯蔵装置１０６がレシーバ１０４に挿入される際に、各携帯用電力貯蔵装置１０６の端子１１０との接触によって生じる閉回路状態、あるいはレシーバ１０４内の各携帯用電力貯蔵装置１０６の不存在に起因する開回路状態を検出することに応答して、開閉される電気センサやスイッチの形態をとり得る。これらの例は、非限定的であることが意図され、携帯用電力貯蔵装置１０６の有無またはレシーバへの挿入さえも検出するあらゆる他の構造および装置を採用することができることに留意されたい。
【００５８】
例えば、一つ以上の充電センサＳＣ１−ＳＣＮは、携帯用電力貯蔵装置１０６の充電をレシーバ１０４の各々において検出し得る。充電センサＳＣ１−ＳＣＮは、複数の携帯用電力貯蔵装置１０６によって蓄積された充電量を検出し得る。充電センサＳＣ１−ＳＣＮはさらに、レシーバ１０４の各々における携帯用電力貯蔵装置１０６のそれぞれに供給される充電量および／または充電率を検出し得る。このことは、すなわち現在の（すなわち、一次的な）充電状態または各携帯用電力貯蔵装置１０６の状態の評価を可能にし、同様に、充電率の制御を含め、携帯用電力貯蔵装置１０６の充電に関するフィードバック制御を可能にする。充電センサＳＣ１−ＳＣＮは、あらゆる種類の電流および／または電圧センサを含み得る。
【００５９】
例えば、一つ以上の充電センサＳＴ１（一つのみ図示）は、レシーバ１０４の温度、または周囲環境における温度を検出または感知し得る。
【００６０】
制御サブシステム２０２は、制御信号に応答して、各種アクチュエータおよび／またはコンポーネントへ信号を提供する。制御信号は、コンポーネントが実行する操作、またはコンポーネントが入るべきステータスまたは状態を特徴づけるあるいは示す情報を含む。制御信号、アクチュエータまたは制御信号に応答する他のコンポーネントは、図２において適切な添え字と共に円の中に記載された文字Ｃによって示されている。
【００６１】
例えば、一つ以上のエンジン制御信号ＣＡ１−ＣＡＮは、一つ以上のアクチュエータ２２０（一つのみ図示）の動作に影響を与え得る。例えば、制御信号ＣＡ１とは、第一および第二の位置との間で、アクチュエータ２２０を動作させる、またはアクチュエータ２２０によって生成される磁界を変化させ得る。アクチュエータ２２０は、限定されないが、ソレノイド、電気モータ、ステッピングモータ、または電磁石などを含む各種形態のいずれかを取り得る。アクチュエータ２２０は、ラッチ、ロック、または他の保持機構２２２を作動するように結合し得る。ラッチ、ロックまたは他の保持機構２２２は、選択的に、レシーバ１０４（図１）内に、一つ以上の携帯用電力貯蔵装置１０６（図１）を固定または保持し得る。例えば、ラッチ、ロック、または他の保持機構２２２は、携帯用電力貯蔵装置１０６（図１）のハウジングの一部である相補的構造に物理的に連結し得る。あるいは、ラッチ、ロック、または他の保持機構２２２は、携帯用電力貯蔵装置１０６（図１）のハウジングの一部である相補的構造に磁気的に結合してもよい。また、例えば、ラッチ、ロック、または他の機構は、レシーバ１０４（図１）を開くことができ、または充電するための部分的にまたは完全に放電された携帯用電力貯蔵装置１０６を収容するように、レシーバ１０４を開くことができる。例えば、アクチュエータは、レシーバ１０４（図１）の扉を開放するおよび／または閉じることができ、その中に収納された携帯用電力貯蔵装置１０６（図１）へのアクセスを選択的に提供する。また、例えば、アクチュエータは、エンドユーザがレシーバ１０４（図１）の扉を開閉させて、ラッチまたはロックを開閉させることができ、その中に収容される携帯用電力貯蔵装置１０６（図１）へのアクセスを選択的に提供し得る。
【００６２】
制御サブシステム２０２は、充電サブシステム２０６の一つ以上のポート２２４ｂに制御信号を提供する一つ以上のポート２２４ａを含み得る。ポート２２４ａ，２２４ｂは、双方向通信を提供し得る。制御サブシステム２０２は、ユーザインタフェース・サブシステム２０８の一つ以上のポート２２６ｂに制御信号を提供する一つ以上のポート２２６ａを含み得る。ポート２２６ａ，２２６ｂは、双方向通信を提供し得る。
【００６３】
充電サブシステム２０４は、例えば、レシーバ１０４内に位置するまた収容される際に携帯用電力貯蔵装置１０６を充電するために、各種の電気電子部品を含み得る。例えば、充電サブシステム２０４は、一つ以上のパワーバスまたはパワーバス・バー、リレー、コンタクタまたは他のスイッチ（例えば、絶縁ゲートバイポーラトランジスタまたはＩＧＢＴｓ、金属酸化物半導体トランジスタやＭＯＳＦＥＴｓ）、整流器ブリッジ、電流センサ、接地回路等を含み得る。電力は、端子、リード線、ポストなどの各種形態をとり得る接点を介して供給される。接点は、さまざまなコンポーネントの電気的結合を可能にする。いくつかの可能な実施例は、図２に示されている。これらは、網羅することを意図していない。他のコンポーネントは省略されてもよく、追加のコンポーネントが採用されてもよい。
【００６４】
図示の充電サブシステム２０４は、ラインまたはコード２３２を介して電気サービス１１４（図１）から電力を受ける第１電力コンバータ２３０を含んでいる。電力は、典型的には、一相、二相、三相交流電力の形態である。このように、第１電力コンバータ２３０は、例えば、交流（ＡＣ）波形を直流（ＤＣ）に整流し、電圧、電流、位相を変換し、過渡電流やノイズを低減するために、電気サービス１１４（図１）を介して受け取る電力を制御あるいは調整する必要がある。したがって、第１電力コンバータ２３０は、変圧器２３４、整流器２３６、ＤＣ／ＤＣ電力コンバータ２３８、およびフィルタ（複数可）２４０を含み得る。
【００６５】
変圧器２３４は、電気サービス１１４（図１）を介して受け取った電力を処理するための適切な定格を備えた市販の変圧器のあらゆる形態をとり得る。いくつかの実施形態では、複数の変圧器を用い得る。変圧器２３４は、有利には、収集・充電・分配マシン１０２のコンポーネントと送電系統１１６（図１）との間のガルバノ絶縁を提供し得る。整流器２３６は、例えば、フルブリッジダイオード整流器またはスイッチモード整流器のような各種形態をとり得る。整流器２３６は、直流電力を交流電力に変換するように動作し得る。ＤＣ／ＤＣ電力コンバータ２３８は、数多くの形態をとり得る。例えば、ＤＣ／ＤＣ電力コンバータ２３８は、例えば、ハーフまたはフルブリッジ構成内のＩＧＢＴｓやＭＯＳＦＥＴｓを採用する、スイッチモードＤＣ／ＤＣ電力コンバータの形態をとることができ、一つ以上のインダクタを含み得る。ＤＣ／ＤＣ電力コンバータ２３８は、ブーストコンバータ、バックコンバータ、同期バックコンバータ、バックブーストコンバータまたはフライバックコンバータを含む各種トポロジーを有し得る。フィルタ（複数可）２４０は、電圧ノイズを抑制するために、または過渡電流および／またはノイズを除去または低減するために、一つ以上のコンデンサ、抵抗、ツェナーダイオードまたは他のコンポーネントを含み得る。
【００６６】
図示の充電サブシステム２０４は、また、再生可能エネルギー源、例えば、ＰＶアレイ１１８（図１）から電力を受け取り得る。このような電力は、変圧器２３６、および／または整流器２３６をバイパスして、例えば、ＤＣ／ＤＣ電力コンバータ２３８に直接供給されることによって、第１電力コンバータ２３０により変換あるいは調整され得る。代替的に、図示の充電サブシステム２０４は、専用の電力コンバータを含み、このような電力を変換するか調整し得る。
【００６７】
図示の充電サブシステム２０４は、他の携帯用電力貯蔵装置１０６を充電するために、一つ以上のライン２４４を介して一つ以上の携帯用電力貯蔵装置１０６（図１）から電力を受信する第２電力変換器２４２を必要に応じて含み得る。このように、第２電力コンバータ２４２は、例えば、携帯用電力貯蔵装置１０６から受け取った電力を変換および／または調整する必要があり、例えば、必要に応じて電圧または電流を変換するだけでなく、過渡電流およびノイズを低減し得る。したがって、第２電力コンバータ２４２は、必要に応じてＤＣ／ＤＣ電力コンバータ２４６および／またはフィルタ（複数可）２４８を含み得る。ＤＣ／ＤＣ電力コンバータおよびフィルタの種類は、上述の通りである。
【００６８】
図示の充電サブシステム２０４は、制御サブシステム２０２から、ポート２２４ａ，２２４ｂを介して送信される制御信号に応答する複数のスイッチ２５０を含み得る。スイッチは、選択的に第一のまたは第一の組の携帯用電力貯蔵装置１０６に結合されるように動作可能であり、第一のまたは第一の組の携帯用電力貯蔵装置１０６は第１電力コンバータ２３０を介して電気サービスの両方によって供給される電力および第二のまたは第二の組の携帯用電力貯蔵装置１０６によって供給される電力により充電される。第一のまたは第一の組の各携帯用電力貯蔵装置１０６は、単一の携帯用電力貯蔵装置１０６、２つ以上の携帯用電力貯蔵装置１０６を含み得る。第二のまたは第二の組の携帯用電力貯蔵装置１０６は、単一の携帯用電力貯蔵装置１０６、２つ以上の携帯用電力貯蔵装置１０６を含み得る。携帯用電力貯蔵装置１０６は、負荷Ｌ１、Ｌ２−ＬＮとして図２に示されている。
【００６９】
通信サブシステム２０６は、さらに、バックエンドまたはバックオフィスシステム１２０（図１）の各種コンポーネントおよび／または携帯用電力貯蔵装置１０６の各種コンポーネントとの通信を容易にするための、一つ以上の通信モジュールまたはコンポーネントを含み得る。通信サブシステム２０６は、例えば、一つ以上のモデム２５２、または一つ以上のイーサネット（登録商標）または他のタイプの通信カードまたはコンポーネント２５４を含み得る。制御サブシステム２０２のポート２５６ａは、通信サブシステム２０６のポート２５６ｂと制御サブシステム２０２とを通信可能に連結し得る。通信サブシステム２０６は、有線および／または無線通信を提供し得る。例えば、通信サブシステム２０６は、携帯用電気エネルギー貯蔵装置１０６を含む収集・充電・分配マシン１０２の外部にある各種他のデバイスと、短距離無線通信（例えば、ブルートゥース、近距離無線通信（ＮＦＣ）、無線周波数識別（ＲＦＩＤ）コンポーネントおよびプロトコルを介して）や長距離無線通信（例えば、無線ＬＡＮ、衛星、または携帯電話ネットワークを介して）が可能なコンポーネントを提供し得る。通信サブシステム２０６は、一つ以上のポート、無線受信機、無線送信機または無線送受信機を含み、各種リモートコンポーネントまたはシステムに無線信号経路を提供し得る。遠隔通信サブシステム２０６は、パケット交換型の通信プロトコル（ＴＣＰ／ＩＰ）、イーサネットまたは他のネットワークプロトコルを含むネットワークトラフィックを処理するのに適した一つ以上のブリッジまたはルータを含み得る。
【００７０】
ユーザインタフェースシステム２０８は、一つ以上のユーザ入出力（Ｉ／Ｏ）コンポーネントを含み得る。例えば、ユーザインタフェースシステム２０８は、エンドユーザに情報およびグラフィカルユーザインタフェース（ＧＵＩ）を提示し、ユーザの選択の指示を受信するように動作可能なタッチスクリーンディスプレイ２０８ａを含み得る。ユーザインタフェースシステム２０８は、キーボードまたはキーパッド２０８ｂを含み、および／またはカーソル制御装置（例えば、マウス、トラックボール、トラックパッド）（不図示）にエンドユーザが情報を入力し、および／またはＧＵＩ内のユーザ選択可能なアイコンを選択することができるようにし得る。ユーザインタフェースシステム２０８は、音声コマンドとして音声ユーザ入力を受信するために、エンドユーザおよび／またはマイクロフォン２０８ｄに聴覚メッセージを提供するためのスピーカ２０８ｃを含んでもよい。
【００７１】
ユーザインタフェースシステム２０８は、カード型媒体２０９から情報を読み取るためのカードリーダ２０８ｅを含み得る。カードリーダ２０８ｅは、各種形態をとることができる。例えば、カードリーダ２０８ｅは、カード２０９によって運ばれる磁気ストライプにエンコードされた情報を読み取るための磁気ストライプリーダの形をとるか、または含んでもよい。例えば、カードリーダ２０８ｅは、カード２０９によって運ばれる機械読み取り可能なシンボル（バーコード、マトリクスコード）で符号化された情報を読み取るためのマシン可読シンボルカードの形をとるか、または含んでもよい。例えば、カードリーダ２０８ｅは、カード２０９によって運ばれる非一時的媒体に符号化された情報を読み取るためのスマートカードリーダの形をとるか、または含んでも良い。これは、無線周波数識別（ＲＦＩＤ）トランスポンダまたは電子決済チップ（例えば、近距離通信（ＮＦＣ）チップ）に使用する媒体を含み得る。したがって、カードリーダ２０８ｅは、例えばクレジットカード、デビットカード、ギフトカード、プリペイドカード、および運転免許証などのＩＤカードのようなカード媒体２０９の各種情報を読み取ることが可能である。カードリーダ２０８ｅはまた、携帯用電気エネルギー貯蔵装置１０６によって搬送される非一時的媒体に符号化された情報を読み取ることが可能であって、また、（例えば、携帯用電気エネルギー蓄積装置１０６の認証および／または携帯用電気エネルギー蓄積装置１０６への収集、充電、分配マシン１０２の認証のために）携帯用電気エネルギー貯蔵装置１０６に情報を通信するためにＲＦＩＤトランスポンダ、トランシーバ、ＮＦＣチップおよび／またはその他の通信機器を含み得る。
【００７２】
ユーザインタフェースシステム２０８は、現金支払いの受け入れや鑑別のための、紙幣鑑別機（鑑別装置）２０８ｆおよび／または硬貨鑑別機２０８ｇを含み得る。このような構成は、クレジットへのアクセスを持たない集団にサービスを提供するのに非常に有用であり得る。紙幣鑑別機２０８ｆおよび／または硬貨鑑別機２０８ｇは、例えば、現在市販されており、各種の自動販売機、キオスクで使用されるものなどの任意の各種形式をとり得る。
【００７３】
図３Ａは、一つの非限定的な例示された実施形態における、携帯用充電装置３５０と通信および接続された図１の携帯用電気エネルギー貯蔵装置１０６ｚのブロック図である。
【００７４】
携帯用電気エネルギー貯蔵装置のハウジング３０２ａ、電気端子１１０ａ，１１０ｂ、バッテリセル３０４ａ、セキュリティシステムコントローラ３０６ａ、およびセキュアアクセスパネル３２２ａが示されている。バッテリセル３０４ａは、格納されている化学エネルギーを電気エネルギーに変換する再充電可能なタイプの電気化学セルである。電気端子１１０ａ，１１０ｂは、携帯用電気エネルギー貯蔵装置１０６ｚの外部からアクセス可能である。電気端子１１０は、電流が携帯用電気エネルギー貯蔵装置１０６ｚから流されることを可能にするだけでなく、バッテリセル３０４ａに導電端子接続部３１２ａおよび３１２ｂを介して充電または再充電するための電力接続部３５２ａおよび３５２ｂを介して携帯用電気エネルギー貯蔵装置１０６ｚを充電させることを可能にし得る。図３Ａにはポストとして示されているが、電気端子１１０ａおよび１１０ｂは、バッテリハウジング３０２ａのスロット内に配置された電気端子を含む携帯用電気エネルギー貯蔵装置１０６ｚの外部からアクセス可能な任意の他の形態をとり得る。
【００７５】
二つのスイッチ３１０ａおよび３１０ｂは、端子ライン３１２ａと３１２ｂおよびセキュリティシステムコントローラ３０８ａに操作可能に接続され、セキュリティシステムコントローラ３０６ａにより電子的に制御される。閉鎖位置では、スイッチ３１０ａおよび３１０ｂは、携帯用電気エネルギー貯蔵装置１０６ｚから電流を流すように、または携帯充電装置３５０から携帯用電気エネルギー貯蔵装置１０６ｚに電流を送るようにする回路を形成するように動作する。開放位置では、スイッチ３１０ａおよび３１０ｂは、携帯用電気エネルギー貯蔵装置１０６ｚから電流を流さないようにするため、および、携帯用電気エネルギー貯蔵装置１０６ｚに電流を送ることを妨げるために、回路を遮断するように動作する。いくつかの実施形態では、スイッチ３１０ａおよび３１０ｂは、セキュリティシステムコントローラ３０８ａから受信した信号に応答可能な電子スイッチあるいは電子機械スイッチの任意のタイプであってもよい。スイッチ３１０ａおよび３１０ｂは、各種のアクチュエータ、接点、リレー、整流器、パワートランジスタ、ＩＧＢＴｓ、および／またはＭＯＳＦＥＴｓを含む、各種電気電子的コンポーネントを含み得る。
【００７６】
いくつかの実施形態では、携帯用電気エネルギー貯蔵装置１０６ｚは、初期設定では、例えば携帯用充電装置３５０や他の外部機器からの認証を（例えば、無線信号を通じて）受けていない限り、充電を受け入れたり、および／または放電（または電流を供給）したりすることができない状態となっている。例えば、そのような認証は、携帯用電気エネルギー貯蔵装置１０６ｚおよび／または携帯用充電装置３５０の外部にある他の各種装置と短距離無線通信（例えば、ブルートゥース、近距離無線通信（ＮＦＣ）、無線周波数識別（ＲＦＩＤ）コンポーネントおよびプロトコルを介して）または長距離無線通信（例えば、無線ＬＡＮ、衛星、または携帯電話ネットワークを介して）を行うことができる、携帯用電気エネルギー貯蔵装置１０６ｚおよび／または携帯用充電装置３５０のコンポーネントを介して受信する情報を基に行い得る。このような認証のベースとなる受信した情報は、限定されないものの、コード；パスワード；電子証明書；電子セキュリティ証明書；暗号化データ；暗号化キー；電子キー；ユーザアカウントＩＤ；携帯用電気エネルギー貯蔵装置１０６ｚおよび／または携帯用充電装置３５０の外部の各種装置のクラスタＩＤ；ユーザＩＤ；携帯用電気エネルギー貯蔵装置１０６ｚおよび／または携帯用充電装置３５０のＩＤ；車両ＩＤ；キーフォブ；セキュリティトークン；ユーザのモバイル機器；バッテリの検知された認証前の充放電；ユーザモバイル機器のＩＤ；ユーザ、ユーザアカウント、ユーザのモバイル機器、携帯用電気エネルギー貯蔵装置１０６ｚおよび／または携帯用充電装置３５０に関連付けられた車両のＩＤのうち一つあるいは複数に関する情報を含む。
【００７７】
一実施形態では、携帯用電気エネルギー貯蔵装置（ＰＥＳＤ）は、ＰＥＳＤのバッテリ電圧／充電が認証なしに増加した場合に放電することが妨げられ得る。例えば、セキュリティシステムコントローラ３０６ａはＰＥＳＤの増加充電レベルを検出するが、ＰＥＳＤのセキュリティシステムコントローラ３０６ａが実行されないかまたはこの増加を検出する前に適用される認証手順が実行されたことが検出されなかった場合、セキュリティシステムコントローラ３０６ａは、ＰＥＳＤを放電させることを妨げる「ロック」モードにＰＥＳＤを自動的に移行させるようにＰＥＳＤを操作する。これは、ユーザが、認証されていない充電器でＰＥＳＤを充電することを妨げることができる。ＮＦＣは、認証手順がＰＥＳＤと外部装置との間および／またはＰＥＳＤをロックおよび／またはロック解除するための信号をＰＥＳＤと外部機器との間で通信された上で実行され、さらに、通信チャネルとして使用することができる。いくつかの実施形態では、ＰＥＳＤをロックおよびロック解除するための信号は、または実行されている適用可能な認証手順の一部としてあるいはその結果として送信されてもよい。
【００７８】
セキュリティシステムコントローラ３０６ａは、充電を受け取るために携帯用電気エネルギー貯蔵装置１０６ｚが接続されている携帯用充電装置３５０からの認証に基づいて、スイッチ３１０ａおよび３１０ｂを開閉するための信号を送信するように構成されている。携帯用電力貯蔵装置のセキュリティシステムコントローラ３０６ａは、任意で、両スイッチ３１０ａおよび３１０ｂが開放位置にあるときに、端子１１０ａおよび１１０ｂと携帯用電力貯蔵装置のセキュリティシステムコントローラ３０６ａとに結合されたライン３１４ａおよび３１４ｂ上において携帯用電力貯蔵装置のセキュリティシステムコントローラ３０６ａを通って流れる、または携帯用電力貯蔵装置のセキュリティシステムコントローラ３０６ａおよびバッテリセルに結合されたライン３０８ａを通って流れる調整電流を介して、携帯用充電装置３５０から受け取るエネルギーまたは電流の量を調整するように構成され得る。
【００７９】
携帯用充電装置３５０から受信したエネルギー量または電流量の調整は、携帯用電力貯蔵装置１０６ｚの外部機器からの各種情報や他の無線信号（例えば、認証情報を含む）に応答して行われる。また、いくつかの例において、ユーザは、携帯用充電装置３５０を用いて携帯用電気エネルギー貯蔵装置１０６ｚを充電しようとする際に、携帯用充電装置３５０のインタフェース上で、携帯用電力貯蔵装置１０６ｚの電力レベル、パフォーマンスレベル、または容量を選択し得る。この情報は、当該情報の検証または認証のために、（図３Ｂおよび３Ｃに示される）携帯用充電装置３５０のセキュリティシステムコントローラ３０６ｂおよび／または携帯用電気エネルギー貯蔵装置１０６ｚのセキュリティシステムコントローラ３０６ａに伝達され得る。この情報は、その後、携帯用電気エネルギー貯蔵装置１０６ｚの充電レベル、電流レベル、電流タイプ、および／または充電時間を設定する際に、（図３Ｂおよび３Ｃに示される）携帯用充電装置３５０のセキュリティシステムコントローラ３０６ｂ、および／または、携帯用電気エネルギー貯蔵装置１０６ｚのセキュリティシステムコントローラ３０６ａによって用いられ得る。
【００８０】
また、携帯用電気エネルギー貯蔵装置１０６ｚを充電するために携帯用充電装置３５０から放出されるエネルギー量、および／または携帯用充電装置３５０から受け取った充電量は、任意で、携帯用充電装置３５０および／または他の外部装置またはシステム（例えば、バックエンドシステム１２２）から、携帯用電力貯蔵装置のセキュリティシステムコントローラ３０６ａによって受信された情報が示す以下の一つまたは複数のものに依存する、あるいは基づいている：携帯用電気エネルギー貯蔵装置の種類；ユーザプロファイル；ユーザの車両プロファイル；ユーザのサブスクリプションレベル；識別されたユーザまたは一般ユーザに関連して提供されうる特定のプロモーション；以下に限定されるものではないが、所得水準、性別、年齢、純資産、サイズ、重量、婚姻状況などのユーザの人口統計情報；パスワード；電子証明書；電子セキュリティ証明書；暗号化データ；暗号化キー；電子キー；ユーザアカウントのＩＤ；携帯用電気エネルギー貯蔵装置１０６ｚおよび／または携帯用充電装置３５０の外部の各種装置のクラスタＩＤ；ユーザＩＤ；携帯用電気エネルギー貯蔵装置１０６ｚおよび／または携帯用充電装置３５０のＩＤ；車両ＩＤ；キーフォブ；セキュリティトークン；ユーザのモバイル機器；ユーザのモバイル機器ＩＤ；ユーザ、ユーザアカウント、ユーザのモバイル機器、携帯用電気エネルギー貯蔵装置１０６ｚおよび／または携帯用充電装置３５０に関連付けられた車両ＩＤ。
【００８１】
一例では、携帯用電気エネルギー貯蔵装置１０６ｚが携帯用充電装置３５０の特定の無線通信範囲内に入ると、携帯用電気エネルギー貯蔵装置１０６ｚのセキュリティシステムコントローラ３０６ａは、携帯用充電装置３５０を認証するために携帯用充電装置３５０へ情報を送信するおよび／または携帯用充電装置３５０から情報を受信することを目的として、無線信号３５８ａを使用して、携帯用充電装置３５０を照会し、または携帯用充電装置３５０からの照会（クエリ）を受信するであろう。セキュリティシステムコントローラ３０６ａは、次に、この情報に基づいて携帯用充電装置３５０を認証するであろう。
【００８２】
いくつかの実施形態では、この無線信号３５８ａは、携帯用電気エネルギー貯蔵装置１０６ｚと携帯用充電装置３５０との間のＮＦＣ信号を含んでいる。そのような情報の検証や認証は、さらに、（図１および図３Ｂに示される）バックエンドシステム１２０と協働して、またはバックエンドシステム１２０との通信を介して行われ得る。例えば、この検証は、携帯用充電装置３５０や携帯用充電装置３５０および／または携帯用電気エネルギー貯蔵装置１０６ｚに関連するユーザの検証あるいは認証のために、バックエンドシステム１２０に、受信したユーザ認証情報／または他のまたは認証情報（例えば、携帯用充電装置３５０から受信する認証情報）を送信することを含み得る。他の実施形態では、携帯用充電装置３５０および／または携帯用電気エネルギー貯蔵装置１０６ｚは、携帯用電気エネルギー貯蔵装置１０６ｚがセキュリティシステムコントローラ３０６ａによって格納されるあるいは受信されるセキュリティあるいは認証情報に対応する比較、検証、一致、導出または調整され得る保管領域（セキュアストレージ）内に格納されたキーまたはコードを有し得る。
【００８３】
携帯用充電装置３５０および／または携帯用電気エネルギー貯蔵装置１０６ｚが認証されると、セキュリティシステムコントローラ３０６ａは上述の通り、携帯用電気エネルギー貯蔵装置１０６ｚに、充電を受け取らせ、または携帯用充電装置３５０からの電流レベルまたは電流量を受け取らせ得る。いくつかの実施形態では、セキュリティシステムコントローラ３０６ａは、携帯用充電装置３５０に携帯用電気エネルギー貯蔵装置１０６ｚへ充電を伝達させるような信号を携帯用充電装置３５０に送信することによって、携帯用電気エネルギー貯蔵装置１０６ｚに充電を受け取らせ、または携帯用充電装置３５０から電流レベルまたは電流量を受け取らせ得る。
【００８４】
一実施形態では、携帯用充電装置３５０のセキュリティシステムコントローラ３０６ｂおよび／または携帯用電気エネルギー貯蔵装置１０６ｚのセキュリティシステムコントローラ３０６ａは、携帯用充電装置３５０および／または他の認証された携帯用充電装置に関する、提供される充電サイクルの数、所定時間に送達される総電力、使用時間等を追跡し、（図１および図３Ａに示される）ネットワーク１２２を介してバックエンドシステム１２０へ、データとしてこの情報を格納あるいは通信し得る。これは、携帯用電気エネルギー貯蔵装置１０６ｚの使用、携帯用充電装置３５０の使用、および／または携帯用電気エネルギー貯蔵装置１０６ｚおよび／または携帯用充電装置３５０によって提供される電力の使用に関連する収益を得る、あるいは、当該収益を特定のユーザおよび／または特定の携帯用電気エネルギー貯蔵装置へ送ることを目的とし得る。一つの実施形態において、そのような追跡情報は、携帯用電気エネルギー貯蔵装置１０６ｚが収集・充電・分配マシン１０２に戻されると、携帯用電気エネルギー貯蔵装置１０６ｚから収集・充電・分配マシン１０２に転送される。これは、携帯用電気エネルギー貯蔵装置１０６ｚが充電、交換等のために収集・充電・分配マシン１０２に配置されたときに、携帯用電気エネルギー貯蔵装置１０６ｚと収集・充電・分配マシン１０２との間に形成されて携帯用電気エネルギー貯蔵装置１０６ｚのセキュリティシステムコントローラ３０６ａと収集・充電・分配マシン１０２との間の通信を可能にする物理的な接続を介して実行され得る。追跡データと認証データのこの通信は、追加的にあるいは代替的に、携帯用電気エネルギー貯蔵装置１０６ｚのセキュリティシステムコントローラ３０６ａと収集・充電・分配マシン１０２との間の無線通信、セキュリティシステムコントローラ３０６ａとバックエンドシステム１０２との間の無線通信、および／またはセキュリティシステムコントローラ３０６ａと車両１０８との間の無線通信によって実行され得る。
【００８５】
一実施形態において、携帯用充電装置３５０が収集・充電・分配マシン１０２の無線通信範囲内に戻される、接続される、または入ると、そのような追跡情報は、携帯用充電装置３５０から収集・充電・分配マシン１０２に転送される。これは、携帯用電気エネルギー貯蔵装置１０６ｚが収集・充電・分配マシン１０２に（無線あるいはそれ以外の方法で）接続されたときに、携帯用充電装置３５０と収集・充電・分配マシン１０２との間に形成されて携帯用充電装置３５０のセキュリティシステムコントローラ３０６ｂと収集・充電・分配マシン１０２との間の通信を可能にする物理的な接続を介して実行され得る。追跡データと認証データのこの通信は、追加的にあるいは代替的に、携帯用充電装置３５０のセキュリティシステムコントローラ３０６ｂと収集・充電・分配マシン１０２との間の無線通信、携帯用充電装置３５０のセキュリティシステムコントローラ３０６ｂとバックエンドシステム１０２との間の無線通信、および／または携帯用充電装置３５０のセキュリティシステムコントローラ３０６ｂと車両１０８との間の無線通信によって実行され得る。
【００８６】
ハウジング３０２ａは、バッテリセル３０４ａおよび携帯用電力貯蔵装置のセキュリティシステムコントローラ３０６ａを外部要素および不正使用（改ざん）から保護するのに十分な厚さを有するポリマーまたは他の耐久性のある材料で構成されている。例えば、ハウジングの壁は、少なくとも約０．２５インチの厚さであって、バッテリセル３０４ａおよび携帯用電力貯蔵装置のセキュリティシステムコントローラ３０６ａ（いくつかの実施形態では、ハウジング内の小さな通気孔を除く）を完全に囲み、これにより、バッテリセル３０４ａと携帯用電力貯蔵装置のセキュリティシステムコントローラ３０６ａがロックされたアクセスパネル３２２ａを開くためのキーまたは他の特殊なツールなしでアクセスすることができないようになっている。
【００８７】
セキュリティシステムコントローラ３０６ａの一つ以上の部分は、不正使用（改ざん）防止（ｔａｍｐｅｒ−ｐｒｏｏｆ、ｔａｍｐｅｒ  ｒｅｓｉｓｔａｎｔ）、または改ざん表示（ｔａｍｐｅｒ−ｉｎｄｉｃａｔｉｖｅ）機能を有するように構成され得る。例えば、この一つ以上の部分は脆弱であって（壊れやすく）、および不正使用されたまたは不正使用しようとしたことに応答して回路を開く（開回路をレンダリングする）ように設計され得る。例えば、一つまたは複数のスイッチ３１０または電気リード線、トレース、または導電性パスは、不正使用に応答して壊れる脆弱基板に形成され得る。脆弱基板は、ガラスやセラミックなどの、不正使用されると加えられることに関連するあるいは予期される力を受けると、破れる、裂ける、または壊れる程度に薄いものである従来の回路基板材料を含む各種形態のいずれかを取り得る。一部の例では、基板（例えば、回路基板、ハウジング２０２）は脆弱ではなく、電気リード線、トレース、または導電性経路が脆弱であれば十分である。例えば、これにより、曲げが電気経路での不連続性を引き起こすものの、基板は破壊されることなく曲げられるのに十分な耐性を達成し得る。あるいは、ブレードやナイフのような構造は、不正使用の試みによってトリガされ、電気経路を切断して、その結果、携帯用電気エネルギー貯蔵装置１０６ｚを動作不能にする開回路状態となる。
【００８８】
ハウジング３０２ａは、不正使用を防止または抑止するための保護を提供し、適切な強度および弾性の材料（例えば、ＡＢＳ樹脂）で形成され得る。これにより、不正使用を防止あるいは抑止できるだけでなく、不正使用の試みの可視表示を残し得る。例えば、ハウジング３０２ａは、下側の第２の色（例えば、蛍光オレンジ）からなる内層内において第１の色（例えば、黒色）からなる強い外層を含み得る。これにより、ハウジング３０２ａを通過しようとする試みを視覚的に明らかにし得る。
【００８９】
ハウジング３０２ａは上述の基板としての機能を果たし、あるいは、脆弱基板は例えば適切な接着剤を介してハウジングの内層に固定されることに留意されたい。そのため、ハウジングにおける不正使用は、回路接続を破壊あるいはダメージを与え、装置を動作不能にし得る。
【００９０】
いくつかの実施形態では、携帯用電気貯蔵装置のセキュリティシステムコントローラ３０６ａのいくつかあるいはすべてのコンポーネントは、（例えば、無線制御信号を介して）スイッチ３１０ａおよび３１０ｂを起動する別装置として、携帯用電力貯蔵装置１０６ｚの外部に配置されても良い。また、バッテリセル３０４ａへの電流あるいはバッテリセル３０４ａからの電流の遮断あるいは供給に十分な、追加のまたはより少数のスイッチを用いることもできる。
【００９１】
図３Ｂは、一つの非限定的な例示実施形態における、携帯用充電装置３５０に接続され図１のバックエンドまたはバックオフィスシステム１２０と通信状態である携帯用充電装置３５０のブロック図である。
【００９２】
ここで、携帯用充電装置のハウジング３０２ｂ、電気端子１１０ｃ，１１０ｄ、携帯用充電装置の電源３０４ｂ、セキュリティシステムコントローラ３０６ａ、およびセキュアアクセスパネル３２２ｂが示されている。携帯用充電装置の電源３０４ｂは、携帯用電気エネルギー貯蔵装置１０６ｚのような携帯用電気エネルギー貯蔵装置を充電するための電源を提供するために、化学エネルギーを格納しおよび格納された化学エネルギーを電気エネルギーに変換する電気化学セルの再充電可能な任意のタイプである。この実施形態では、携帯用電気エネルギー貯蔵装置１０６ｚは、図３Ａに示す携帯用電気エネルギー貯蔵装置１０６ｚのセキュリティシステムコントローラ３０６ａを含んでいても含まなくてもよく、または各種実施形態に記載のセキュリティシステムコントローラ３０６ａのすべての機能を備えたセキュリティシステムコントローラ３０６ａを含んでもよい。
【００９３】
電気端子１１０ｃ，１１０ｄは、携帯用充電装置３５０の外部からアクセス可能である。電気端子１１０は、導電性端子接続部３１２ｃおよび３１２ｄを介して充電または再充電するために携帯用充電装置の電源３０４ｂに対応する電力接続部３５２ａおよび３５２ｂを介して、携帯用充電装置３５０から充電を伝達し、携帯用電気エネルギー貯蔵装置１０６ｚに充電を送るものである。図３Ｂにはポストとして示されているが、電気端子１１０ｃおよび１１０ｄは、携帯用充電装置のハウジング３０２ｂのスロット内に配置された電気端子を含む、携帯用充電装置３５０の外部からアクセス可能な任意の他の形態をとり得る。
【００９４】
セキュリティシステムコントローラ３０６ｂによって電子制御された２つのスイッチ３１０ｃおよび３１０ｄは、端子ライン３１２ｃおよび３１２ｄと動作可能に連結されている。スイッチ３１０ｃおよび３１０ｄは、閉鎖位置では、携帯用充電装置３５０から電流を流させる、または携帯用充電装置３５０から携帯用電気エネルギー貯蔵装置１０６ｚに電流を伝達させる回路を形成するように動作する。スイッチ３１０ｃおよび３１０ｄは、開放位置では、携帯用充電装置から電流を流させることを妨げる、または携帯用電気エネルギー貯蔵装置１０６ｚに電流を伝達させることを妨げるために回路を遮断するように動作する。いくつかの実施形態では、スイッチ３１０ｃおよび３１０ｄは、セキュリティシステムコントローラ３０６ｂから受信された信号に応答する電子スイッチまたは電気機械スイッチの任意のタイプであってもよい。スイッチ３１０ｃおよび３１０ｄは、各種のアクチュエータ、接点、リレー、整流器、パワートランジスタ、ＩＧＢＴ、および／またはＭＯＳＦＥＴを含む、各種の電気および／または電子部品を含み得る。
【００９５】
いくつかの実施形態では、携帯用充電装置３５０は、初期状態では、（例えば、無線信号を介して）携帯用電気エネルギー貯蔵装置から認証を受信ない限り、充電を行うことができない。例えば、そのような認証は、携帯用電力貯蔵装置１０６ｚおよび／または携帯用充電装置３５０の外部にある他の各種装置と短距離無線通信（例えば、ブルートゥース、近距離無線通信（ＮＦＣ）、無線周波数識別（ＲＦＩＤ）コンポーネントおよびプロトコル）あるいは長距離無線通信（例えば、無線ＬＡＮ、衛星、または携帯電話ネットワーク）することが可能な携帯用電気エネルギー貯蔵装置１０６ｚおよび／または携帯用充電装置３５０のコンポーネントを介して受信した情報に基づいて行い得る。この認証に基づいて受信された情報は、限定されるものではないが、以下の少なくとも一つに関する情報を含む：コード；パスワード；電子証明書；電子セキュリティ証明書；暗号化されたデータ；暗号化キー；電子キー；ユーザアカウントＩＤ；携帯用電気エネルギー貯蔵装置１０６ｚおよび／または携帯用充電装置３５０の外部の各種装置のクラスタＩＤ；ユーザＩＤ；携帯用電気エネルギー貯蔵装置１０６ｚおよび／または携帯用充電装置３５０のＩＤ；車両ＩＤ；キーフォブ；セキュリティトークン；ユーザのモバイル装置；ユーザのモバイル装置のＩＤ；ユーザアカウント、ユーザのモバイル装置、携帯用電気エネルギー貯蔵装置１０６ｚおよび／または携帯用充電装置３５０に関連付けられた車両のＩＤ。
【００９６】
セキュリティシステムコントローラ３０６ｂは、携帯用充電装置３５０から充電を受け取るために携帯用充電装置３５０と接続されるべき携帯用電力貯蔵装置１０６ｚからの認証に基づいて、スイッチ３１０ｃおよび３１０ｄを開閉するための信号を送信するように構成されている。セキュリティシステムコントローラ３０６ｂはまた、スイッチ３１０ｃおよび３１０ｄの両方が開放位置にある場合に、任意で、携帯用電力貯蔵装置のセキュリティシステムコントローラ３０６ａを通って端子１１０ｃおよび１１０ｄとセキュリティシステムコントローラ３０６ｂとに連結されるライン３１４ｃおよび３１４ｄと、携帯用充電装置のセキュリティシステムコントローラ３０６ｂと携帯充電装置の電源３０４ｂとに連結されたライン３０８ｂ上を流れる調整電流を介して、携帯用充電装置３５０から提供されるエネルギー量あるいは電流量を調節するように構成されている。携帯用充電装置３５０から受け取るエネルギー量または電流量の調整は、携帯用充電装置３５０の外部にある装置からの（例えば、認証情報を含む）各種情報やその他の無線信号に応答し得る。また、いくつかの例において、ユーザは、携帯用充電装置３５０を用いて携帯用電気エネルギー貯蔵装置１０６ｚを充電しようとする際に、携帯用充電装置３５０のインタフェース上で、携帯用電力貯蔵装置１０６ｚの電力レベル、パフォーマンスレベル、または容量を選択し得る。この情報は、当該情報の検証あるいは認証のために携帯用充電装置３５０のセキュリティシステムコントローラ３０６ｂおよび／または携帯用電気エネルギー貯蔵装置１０６ｚのセキュリティシステムコントローラ３０６ａに伝達され、携帯用電気エネルギー貯蔵装置１０６ｚの充電レベル、電流レベル、電流タイプ、および／または充電時間の設定に用いられる。
【００９７】
また、携帯用充電装置３５０によって放出されるエネルギー量および／または携帯用電気エネルギー貯蔵装置１０６ｚを充電するために携帯用充電装置３５０から受け取る充電量は、任意で、携帯用充電装置３５０または他の外部装置またはシステム（例えば、バックエンドシステム１２２）から、携帯用電力貯槽装置のセキュリティシステムコントローラ３０６ａによって受信された情報が示す以下の一つ以上に依存し得うる：携帯用電気エネルギー貯蔵装置の種類；ユーザプロファイル；ユーザの車両プロファイル；ユーザのサブスクリプションレベル；識別されたユーザまたは一般ユーザに関連して提供されている特定のプロモーション；ユーザの人口統計情報（限定されるものではないが、所得水準、性別、年齢、純資産サイズ、重量、婚姻状況など）；パスワード；電子証明書；電子セキュリティ証明書；暗号化されたデータ；暗号化キー；電子キー；ユーザアカウントＩＤ；携帯用電気エネルギー貯蔵装置１０６ｚおよび／または携帯用充電装置３５０の外部の各種装置のクラスタＩＤ；ユーザＩＤ；携帯用電気エネルギー貯蔵装置１０６ｚおよび／または携帯用充電装置３５０のＩＤ；車両ＩＤ；キーフォブ；セキュリティトークン；ユーザのモバイル機器；ユーザモバイル装置のＩＤ；ユーザ、ユーザアカウント、ユーザのモバイル機器、携帯用電気エネルギー貯蔵装置１０６ｚおよび／または携帯用充電装置３５０に関連付けられた車両のＩＤ。
【００９８】
一例として、携帯用電気エネルギー貯蔵装置１０６ｚが携帯用充電装置３５０の特定の無線通信範囲内に入ると、所定のセキュリティシステムコントローラ３０６ｂは、携帯用電気エネルギー貯蔵装置１０６ｚを認証するために情報を送信および／または携帯用電気エネルギー貯蔵装置１０６ｚから情報を受信することを目的として、無線信号３５８ａを用いて携帯用電気エネルギー貯蔵装置１０６ｚを照会、または携帯用電気エネルギー貯蔵装置１０６ｚから照会（クエリ）を受信し得る。セキュリティシステムコントローラ３０６ｂは、この情報に基づいて、携帯用電気エネルギー貯蔵装置１０６ｚを認証し得る。いくつかの実施形態では、この無線信号は、携帯用電気エネルギー貯蔵装置１０６ｚと携帯充電装置３５０との間のＮＦＣ信号である。このような情報の検証あるいは認証は、追加的にまたは代替的に、（図１および図３Ｂに示される）バックエンドシステム１２０との通信を介して行い得る。この検証は、携帯用電気エネルギー貯蔵装置１０６ｚの検証または認証のためにバックエンドシステム１２０に受信されたユーザ資格証明および／または他の認証情報（例えば、携帯用電気エネルギー貯蔵装置１０６ｚから受信される認証情報）を送信することを含み得る。他の実施形態では、携帯用電気エネルギー貯蔵装置１０６ｚおよび／または携帯用充電装置３５０は、携帯用充電装置３５０がセキュリティシステムコントローラ３０６ｂによって格納されあるいは受信された対応するセキュリティあるいは認証情報を比較、検証、一致あるいは導出する保管領域内に格納されたキーまたはコードを有し得る。携帯用充電装置３５０および／または携帯用電気エネルギー貯蔵装置１０６ｚが認証されると、セキュリティシステムコントローラ３０６ｂは、携帯用充電装置３５０に充電を提供させる、あるいは上述の通り携帯用充電装置３５０からある一定レベルまたは一定量の電流を提供させる。
【００９９】
携帯用充電装置３５０は、収集・充電・分配マシン１０２および／または収集・充電・分配マシン１０２の充電システムの一つ以上のコンポーネント、構造、機能および／または特徴を含み得る。例えば、携帯用充電装置３５０は、必要に応じて、収集・充電・分配マシン１０２と同一あるいは同様の機能を携帯用充電装置３５０において実行するために、収集・充電・分配マシン１０２の充電サブシステム２０４、セントラルサブシステム２０２、および／またはユーザインタフェース（ＵＩ）サブシステム２０８のうちの一つ以上のコンポーネントを含み得る。これは、携帯用充電装置３５０および／または携帯用電気エネルギー貯蔵装置１０６ｚの使用、充電、識別、使用の追跡等に関するバックエンドシステム１０２と通信する機能だけでなく、以下の機能を含み得る：携帯用電気エネルギー貯蔵装置１０６ｚの種類または他の基準に応じて携帯用電気エネルギー貯蔵装置１０６ｚを充電する機能；携帯用電気エネルギー貯蔵装置１０６ｚを識別する機能；携帯用充電装置３５０によって携帯用電気エネルギー貯蔵装置１０６ｚに提供される電力、電流または充電レベルを制御、時間調整および／または調整する機能；ここに記載のような認証および／または充電構成の設定を可能とする携帯用電気エネルギー貯蔵装置１０６ｚに関連づけられたユーザを識別するための機能；ここに記載のように認証および／または充電構成の設定を可能とするユーザに関連付けられた車両またはモバイル機器を識別する機能等。
【０１００】
例えば、一実施形態では、携帯用充電装置３５０のセキュリティシステムコントローラ３０６ｂおよび／または携帯用電気エネルギー貯蔵装置１０６ｚのセキュリティシステムコントローラ３０６ａは、携帯用充電装置３５０および／または他の認証された携帯用充電装置に関して、携帯用充電装置３５０が使用される所定時間内に提供される充電サイクルの数や送達される全電力を追跡し得る。携帯用充電装置３５０のセキュリティシステムコントローラ３０６ｂおよび／または携帯用電気エネルギー貯蔵装置１０６ｚのセキュリティシステムコントローラ３０６ａは、（図１および図３Ａに示される）ネットワーク１２２および／または他の外部装置またはシステムを介して、バックエンドシステム１２０にデータとしてこの情報を格納するか、通信し得る。これは、携帯用電気エネルギー貯蔵装置１０６ｚの使用、携帯用充電装置３５０の使用、および／または携帯用電気エネルギー貯蔵装置１０６ｚおよび／または携帯用充電装置３５０によって特定のユーザおよび／または特定の携帯用電気エネルギー貯蔵装置に供給される電力の使用に関連付けられた収益を得ることをその目的としている。
【０１０１】
一実施形態では、携帯用充電装置３５０が収集・充電・分配マシン１０２の無線通信範囲内に戻るか、接続されるか、入ると、そのような追跡情報は携帯用充電装置３５０から収集・充電・分配マシン１０２に送信される。これは、携帯用充電装置３５０と収集・充電・分配マシン１０２との間に形成されている有線または無線接続を介して達成することができ、これにより、携帯用充電装置３５０が収集・充電・分配マシン１０２と（無線あるいは他の方法で）接続される際に携帯用充電装置３５０のセキュリティシステムコントローラ３０６ｂと収集・充電・分配マシン１０２との間の通信を可能にする。追跡データおよび認証データのこの通信は、追加的にあるいは代替的に、携帯用充電装置３５０のセキュリティシステムコントローラ３０６ｂと収集・充電・分配マシン１０２との間の無線通信、（例えば、通信リンク３５８ｃを介して、および／または通信ネットワーク１２２を介しての）携帯用充電装置３５０のセキュリティシステムコントローラ３０６ｂとバックエンドシステム１０２との間の無線通信、および／または（例えば、図３Ｃに示される通信リンク３５８ｅを介しての）セキュリティシステムコントローラ３０６ｂと車両１０８との間の無線通信によって達成され得る。
【０１０２】
ハウジング３０２ｂは、外部要素および不正使用から携帯用充電装置の電源３０４ｂおよびセキュリティシステムコントローラ３０６ｂを保護するために、十分な厚さのポリマーまたは他の耐久性のある材料で構成されている。例えば、ハウジングの壁は、少なくとも約０．２５インチの厚さで、携帯用充電装置の電源３０４ｂと携帯用充電装置のセキュリティシステムコントローラ３０６ｂ（ハウジング内のいくつかの実施形態では、小さな通気孔を除く）の周囲を完全に囲む。これにより、携帯用充電装置の電源３０４ｂおよび携帯用充電装置のセキュリティシステムコントローラ３０６ｂは、施錠されたアクセスパネル３２２ｂを開くためのキーまたは他の特殊なツールなしでアクセスすることができない。いくつかの実施形態では、携帯用充電装置３５０は、電力ケーブル３６０を含み、電力ケーブル３６０を介して受信された電力を直接提供し、携帯用電気エネルギー貯蔵装置１０６ｚを充電、および／または、順に電力を供給して携帯用電気エネルギー貯蔵装置１０６ｚに順に電力を供給して充電するための携帯用充電装置の電源３０４ｂを充電し得る。
【０１０３】
セキュリティシステムコントローラ３０６ｂの一つ以上の部分は、不正使用（改ざん）防止（ｔａｍｐｅｒ−ｐｒｏｏｆ、ｔａｍｐｅｒ  ｒｅｓｉｓｔａｎｔ）、または改ざん表示（ｔａｍｐｅｒ−ｉｎｄｉｃａｔｉｖｅ）機能を有するように構成され得る。例えば、この一つ以上の部分は脆弱であって（壊れやすく）、および不正使用されたまたは不正使用しようとしたことに応答して回路を開く（開回路をレンダリングする）ように設計され得る。例えば、一つ以上のスイッチ（例えば、３１０ｃまたは３１０ｄ）または電気リード線、トレース、または導電性パスは、不正使用に応答して壊れる脆弱基板に形成され得る。脆弱基板は、ガラスやセラミックなどの、不正使用されると加えられることに関連するあるいは予期される力を受けると、破れる、裂ける、または壊れる程度に薄いものである従来の回路基板材料を含む各種形態のいずれかを取り得る。一部の例では、基板（例えば、回路基板、ハウジング２０２）は脆弱ではなく、電気リード線、トレース、または導電性経路が脆弱であれば十分である。例えば、これにより、曲げが電気経路での不連続性を引き起こすものの、基板は破壊されることなく曲げられるのに十分な耐性を達成し得る。あるいは、ブレードやナイフのような構造は、不正使用の試みによってトリガされ、電気経路を切断して、その結果、携帯用電気エネルギー貯蔵装置１０６ｚを動作不能にする開回路状態となる。
【０１０４】
ハウジング３０２ｂは、不正使用を防止または抑止するための保護を提供し、適切な強度および弾性の材料（例えば、ＡＢＳ樹脂）で形成され得る。これにより、不正使用を防止あるいは抑止できるだけでなく、不正使用の試みの可視表示を残し得る。例えば、ハウジング３０２ｂは、下側の第２の色（例えば、蛍光オレンジ）からなる内層内において第１の色（例えば、黒色）からなる強い外層を含み得る。これにより、ハウジング３０２ｂを通過しようとする試みを視覚的に明らかにし得る。
【０１０５】
また、ハウジング３０２ｂは上述の基板としての機能を果たし、あるいは、脆弱基板は例えば適切な接着剤を介してハウジングの内層に固定されることに留意されたい。そのため、ハウジング３０２ｂにおける不正使用は、回路接続を破壊あるいはダメージを与え、装置を動作不能にし得る。
【０１０６】
いくつかの実施形態では、携帯用電力貯蔵装置のセキュリティシステムコントローラ３０６ｂのコンポーネントの一部あるいは全部は、（例えば、無線制御信号を介して）スイッチ３１０ｃおよび３１０ｄを起動するか充電および／または認証を制御する別の装置として、携帯用充電装置３５０の外部に配置されても良い。また、携帯用充電装置の電源３０４ｂへの電流あるいは電源３０４ｂからの電流の遮断あるいは供給に十分な、追加のまたはより少数のスイッチを用いることもできる。
【０１０７】
いくつかの実施形態では、携帯用充電装置３５０は、収集・充電・分配マシンシステム１０２のユーザ、および／または電気自動車や他のアイテムの携帯用電気エネルギー貯蔵装置を充電するための携帯用充電装置を排他的に使用するその他のユーザに、貸出し、販売、ライセンスまたは他の方法で提供され得る。特定のユーザに提供される携帯用電気エネルギー貯蔵装置およびそれに関連する携帯用充電装置は、ユーザ、ユーザアカウント、ユーザの車両、ユーザセキュリティ装置またはトークン、および／またはユーザのモバイル機器を、ユーザに提供される対応する携帯用電気エネルギー貯蔵装置および／または携帯用充電装置と関連付けるための、コード、識別子、またはそこに格納される他の認証情報（クレデンシャル情報）を有し得る。これにより、ユーザは、そのユーザ、ユーザの車両、ユーザのモバイル機器、ユーザの他のセキュリティ装置に関連付けられる、および／または、そのユーザに提供、登録、割り当てられた特定の携帯用充電装置に関連付けられる携帯用電気エネルギー貯蔵装置を充電することのみを可能とする。
【０１０８】
図３Ｃは、一つの非限定的な例示実施形態における、図１の携帯用電気エネルギー貯蔵装置１０６ｚおよび／または車両１０８と接続されて通信する携帯用充電装置３５０のブロック図である。
【０１０９】
携帯用電気エネルギー貯蔵装置１０６ｚおよび／または携帯用充電装置３５０の認証に基づいて受信される情報は、ユーザに関連付けられた車両、ユーザアカウントに関連付けられた車両、ユーザのモバイル機器に関連付けられた車両、携帯用電気エネルギー貯蔵装置１０６ｚに関連付けられた車両、および／または携帯用充電装置３５０に関連付けられた車両等に関する情報を含む。例えば、この情報は、通信チャネル３５８ｅを介して通信することができる。また、携帯用充電装置３５０から放出されるエネルギー量および／または携帯用電気エネルギー貯蔵装置１０６ｚを充電するために携帯用充電装置３５０から受ける充電量は、任意で、携帯用充電装置３５０のセキュリティシステムコントローラ３０６ｂまたは他の外部装置またはシステム（例えば、バックエンドシステム１２０）から携帯用電力貯蔵装置のセキュリティシステムコントローラ３０６ａによって受信された情報が示す以下の一つ以上に依存し得る：車両１０８の種類；ユーザの車両プロファイル；車両１０８の各種サブシステム、診断システム、および／または制御システムからの通信；車両１０８に用いられる携帯用電気エネルギー貯蔵装置の種類；車両１０８に関連付けられた走行ルートあるいは走行習慣；車両１０８に関連付けられた携帯用電気エネルギー貯蔵装置の交換履歴。この情報は、例えば、車両１０８と携帯用充電装置３５０および／またはここに記載される他の通信チャネルとの間の無線通信チャネル３５８ｅを介して通信され得る。
【０１１０】
携帯用電気エネルギー貯蔵装置１０６ｚは、充電のために携帯用充電装置３５０に直接的または間接的に接続されているが、車両１０８に動作可能に配置または設置され得る。いくつかの実施形態では、携帯用電気エネルギー貯蔵装置１０６ｚは、車両１０８および／または携帯用電気エネルギー貯蔵装置１０６ｚに無線通信チャネル３５８ａおよび／または３５８ｅを介して適切な認証情報を提供するために、車両１０８のセキュリティシステムに接続されるか、あるいは車両１０８に接続される必要がある。
【０１１１】
いくつかの実施形態では、携帯用充電装置３５０は、収集・充電・分配マシンシステム１０２のユーザ、および／または、電気自動車１０８または他のアイテムの携帯用電気エネルギー貯蔵装置を充電するために携帯用充電装置を排他的に使用する他のユーザに、貸出し、販売、ライセンスまたは提供し得る。特定のユーザに提供される携帯用電気エネルギー貯蔵装置およびそれに関連付けられた携帯用充電装置は、ユーザ、ユーザーアカウント、ユーザセキュリティ装置またはトークン、および／またはユーザモバイル機器を、（例えば、車両識別子を介して）対応する車両１０８と関連付けるために、コード、識別子、またはそこに格納あるいは関連付けられた他の認証情報を有し得る。これにより、そのユーザ、ユーザの車両、ユーザのモバイル機器、ユーザの他のセキュリティ装置に関連付けられている、および／または、そのユーザに提供、登録、あるいは割当てられた対応する特定の携帯用充電装置および／または特定の携帯用電気エネルギー貯蔵装置に関連付けられている、携帯用電気エネルギー貯蔵装置を充電する、および／または携帯用充電装置を使用することのみがユーザに可能となる。
【０１１２】
図４は、複数の非限定的な例示実施形態における、図３Ａ、図３Ｂまたは図３Ｃに示されるセキュリティシステムコントローラの一例の概略図である。
【０１１３】
セキュリティシステムコントローラ３０６は、コントローラ４１０、通信サブシステム４０６、およびパワーインタフェース／マネージャを含む。セキュリティシステムコントローラ３０６は、必要に応じて、図３Ｂおよび図３Ｃに示す携帯用充電装置３５０および／または携帯用電気エネルギー貯蔵装置１０６ｚのものとし得る。
【０１１４】
コントローラ４１０は、例えば、各種センサからの信号を受信し、論理演算を行い、各種コンポーネントへの信号送信可能な、マイクロプロセッサ、マイクロコントローラ、プログラマブル・ロジック・コントローラ（ＰＬＣ）、プログラマブル・ゲート・アレイ（ＰＧＡ）、特定用途向け集積回路（ＡＳＩＣ）、または他のコントローラである。典型的には、コントローラ４１０は、マイクロプロセッサ（例えば、ＩＮＴＥＬ、ＡＭＤ、ＡＴＯＭ）の形態をとり得る。セキュリティシステムコントローラ３０６は、例えばリード・オンリー・メモリ（ＲＯＭ）４１２、ランダム・アクセス・メモリ（ＲＡＭ）４１４、およびその他のストレージ４１６（例えば、フラッシュメモリやＥＥＰＲＯＭのような固定型記憶媒体、ハードディスクなどの回転型記憶媒体）等の一つ以上の非一時的プロセッサまたはコンピュータ可読記憶媒体を含み得る。非一時的プロセッサまたはコンピュータ可読記憶媒体４１２、４１４、４１６は、コントローラ４１０の一部である任意の非一時的記憶媒体（例えば、レジスタ）に加えられてもよい。セキュリティシステムコントローラ３０６は、各種コンポーネントを結合する一つ以上のバス４１８（一つのみ図示）、例えば、一つ以上のパワーバス、インストラクションバス、データバス等を含み得る。
【０１１５】
図示のように、ＲＯＭ４１２、または非一時的プロセッサまたはコンピュータ可読記憶媒体４１２、４１４、４１６は、インストラクションおよび／または変数あるいはパラメータのデータまたは値を格納する。一組のデータは、例えば、ルックアップテーブル、データベース内の一組のレコードなどの各種形態をとり得る。インストラクションおよび一組のデータまたは値は、コントローラ４１０によって実行可能である。インストラクションおよび一組のデータまたは値の実行は、コントローラ４１０に特定の動作を実行させ、セキュリティシステムコントローラ３０６に制御信号を発生させて、必要であれば、以下を実行する：携帯用エネルギー貯蔵装置１０６ｚに充電を受け取らせるまたはエネルギーを放出させるか、充電の受け取りおよびエネルギーの放出を妨げる；あるいは、携帯用エネルギー貯蔵装置１０６ｚからのエネルギーの放出または携帯用エネルギー貯蔵装置１０６ｚが受け取る充電量を調節する；携帯用充電装置３５０に充電を提供または伝達させるまたはエネルギーを放出させるか、充電の提供やエネルギーの放出を妨げる；および／または携帯用充電装置３５０からのエネルギーの放出あるいはその量を調整する、など。セキュリティシステムコントローラ３０６の具体的な動作は、各フロー図（図５〜７）を参照して、以下に説明する。
【０１１６】
コントローラ４１０は、インストラクション、データ等の不揮発性ストレージのために、従来の方法でＲＡＭ４１４を使用し得る。コントローラ４１０は、例えば、ユーザプロファイル情報、車両のプロファイル情報、セキュリティコード、資格情報、セキュリティ証明書、パスワード、ユーザのサブスクリプションレベル、識別されたユーザまたは一般ユーザに関連して提供されている特定のプロモーション、（所得水準、重量、サイズの性別、年齢、純資産、婚姻状況、あるいはここに記載の他の情報）のようなユーザの人口統計情報、ユーザの車両の位置とテレマティックスおよび／またはテレマティックス・ユーザ車両情報に関する情報、車種・設定構成・仕様・状態および／または車両の機能に関する情報、携帯用電気エネルギー貯蔵装置の充電容量に関する情報、ユーザの経路情報に関する情報、などの情報をデータストア４１６を用いて記録あるいは格納し得る。インストラクションは、コントローラ４１０によって実行可能であり、必要に応じて、これらに限定されないが、携帯用充電装置、車両、ユーザ識別装置（カード、電子キー、等）車両、収集・充電・分配マシン、収集・充電・分配マシンのサービスシステム、ユーザのモバイル機器、ユーザの車両を含むリモートシステム、例えば、携帯用充電装置３５０および／または携帯用エネルギー貯蔵装置１０６ｚのリモートシステムからの入力、およびエンドユーザまたはオペレータ入力に応答して、および、変数またはパラメータのデータまたは値を使用して、セキュリティシステムコントローラ３０６の動作を制御する。
【０１１７】
制御サブシステム４０２は、収集・充電・分配マシン１０２の通信サブシステム２０６を介して携帯用充電装置３５０の各種センサおよび／または各コンポーネントからの信号を受信し得る。この情報は、そのようなコンポーネントの信頼性、認証レベル、操作、ステータス、または状態を特徴づけるあるいは示す情報を含み得る。
【０１１８】
通信サブシステム４０６は、（例えば、ユーザプロファイル、車両プロファイルおよび／またはキャンペーン情報のソフトウェア更新あるいはデータ更新を受信するような）携帯用充電装置３５０の各種コンポーネントや、図１の収集・充電・分配マシン１０２の各種コンポーネントおよび一つ以上のユーザのモバイル通信装置との通信を促す一つ以上の通信モジュールまたはコンポーネントを含むことができ、これにより、データが認証のためにデバイス間で交換され得る。通信サブシステム４０６は、有線および／または無線通信を提供し得る。通信サブシステム４０６は、各種リモートコンポーネントまたはシステムに無線信号経路を提供するために、一つ以上のポート、無線受信機、無線送信機または無線送受信機を含み得る。通信サブシステム４０６は、例えば、（例えば、ブルートゥース、近距離通信（ＮＦＣ）、無線周波数識別（ＲＦＩＤ）コンポーネントおよびプロトコルを介して行われる）短距離無線通信または（例えば、無線ＬＡＮ、衛星、または携帯電話ネットワークを介して行われる）長距離無線通信が可能なコンポーネントを含み、さらにこれを行うための一つ以上のモデム４５２、一つ以上のイーサネット、または他のタイプの通信カードあるいはコンポーネント４５４を含み得る。遠隔通信サブシステム４０６は、パケット交換型の通信プロトコル（ＴＣＰ／ＩＰ）、イーサネット（登録商標）または他のネットワークプロトコルを含むネットワークトラフィックを処理するのに適した一つ以上のブリッジまたはルータを含み得る。
【０１１９】
いくつかの実施形態では、セキュリティシステムコントローラ３０６のコンポーネントの一部または全部は、携帯用電力貯蔵装置１０６ｚのスイッチ３１０ａおよび３１０ｂを（例えば、通信サブシステム４０６を介して送信される無線制御信号を介して）作動させる別の装置として、携帯用電力貯蔵装置１０６ｚの外部に配置され得る。
【０１２０】
パワーインタフェース／マネージャ４２０は、コントローラ４１０によって制御可能であり、バッテリセル３０４ａ、電源３０４ｂ、または他の外部電源のいずれかからセキュリティシステムコントローラ３０６に電力を供給するように構成されている。また、パワーインタフェース／マネージャ４２０は、必要に応じて、コントローラ４１０から受信した制御信号にしたがって、携帯用電力貯蔵装置１０６ｚおよび／または携帯用充電装置３５０からの電力の放出またはこれらの装置への充電の供給を調整するように構成されている。セキュリティシステムコントローラ３０６は、電気変圧器、コンバータ、整流器等のようなそのように動作可能な各種コンポーネントを含む。
【０１２１】
図５は、一つの非限定的な例示実施形態における、図４のセキュリティシステムコントローラ３０６を動作させる第一の方法５００を示すフロー図である。
【０１２２】
５０２において、セキュリティシステムコントローラ３０６は、携帯用充電装置により充電される携帯用電気エネルギー貯蔵デバイスの認証に関する情報を受信する。
【０１２３】
５０４において、セキュリティシステムコントローラ３０６は、認証に関して受信した情報に基づいて、携帯用充電装置により携帯用電気エネルギー貯蔵装置の充電を可能にすることについての決定を行う。
【０１２４】
５０６において、セキュリティシステムコントローラ３０６は、携帯用充電装置の使用状況を追跡するために、充電に関する情報を記録あるいは通信する。
【０１２５】
図６は、一つの非限定的な例示実施形態における、図４のセキュリティシステムコントローラ３０６を動作させる第二の方法６００を示すフロー図である。
【０１２６】
６０２において、セキュリティシステムコントローラ３０６は、携帯用電気エネルギー貯蔵装置を充電するために携帯用電気エネルギー貯蔵装置に接続された携帯用充電装置の認証に関する情報を受信する。
【０１２７】
６０４において、セキュリティシステムコントローラ３０６は、認証に関して受信した情報に基づいて当該装置からの充電を可能にすることについての決定を行う。
【０１２８】
６０６において、セキュリティシステムコントローラ３０６は、携帯用充電装置の使用状況を追跡するために、充電に関する情報を記録あるいは通信する。
【０１２９】
図７は、一つの非限定的な例示実施形態における、図４のセキュリティシステムコントローラ３０６を操作する第３の方法７００を示すフロー図である。
【０１３０】
７０２において、セキュリティシステムコントローラ３０６は、近距離通信信号を通じて携帯用充電装置により充電される携帯用電気エネルギー貯蔵装置の認証に関する情報を受信する。
【０１３１】
７０４において、セキュリティシステムコントローラ３０６は、携帯用電気エネルギー貯蔵装置の認証に関する受信された情報に基づいて、携帯用充電装置に対して、携帯用電気エネルギー貯蔵装置への充電を提供させ、あるいは携帯用電気エネルギー貯蔵装置への充電の提供を停止させる。
【０１３２】
本明細書に記載の各種方法は、追加の動作を含んでもよく、また、いくつかの動作を省略してもよく、および／または各フロー図に記載されたものとは異なる順序で動作しても良い。
【０１３３】
上述の詳細な説明は、ブロック図、概略図、および実施例を用いて、装置および／またはプロセスの各種実施形態を説明している。そのようなブロック図、概略図、および実施例は、一つ以上の機能および／または動作を含む限りにおいて、個々におよび／または集合的に、ハードウェア、ソフトウェア、ファームウェア、またはそれらの実質的に任意の広範な組み合わせによって、ブロック図、フローチャート、または実施例内の各機能および／または動作を実現することができることが当業者に理解されるであろう。一実施形態では、本発明の主題は、一つ以上のマイクロコントローラを介して実装され得る。しかしながら、当業者であれば、本開示の実施の形態は、一つによって実行される一つ以上のコンピュータプログラムとして、一つ以上のコンピュータによって実行される一つ以上のコンピュータプログラム（例えば、一つ以上のコンピュータシステム上で実行される一つ以上のプログラム）、ファームウェアとして一つ以上のプロセッサ（例えば、マイクロプロセッサ）によって実行される一つ以上のプログラム、あるいはこれらの任意の組み合わせのような、標準的な集積回路（例えば、特定用途向け集積回路またはＡＳＩＣｓ）で等価的に実施することができ、または、回路の設計および／またはソフトウェアおよび／またはファームウェアのコードの作製は、本開示の示唆に照らして当業者の技量の範囲内であることを認識するであろう。
【０１３４】
ロジックがソフトウェアとして実装されてメモリに格納されると、ロジックまたは情報は任意のプロセッサ関連システムまたは方法によって用いられるか関連する非一時的コンピュータ可読媒体に記憶され得る。本開示の文脈では、メモリは、コンピュータおよび／またはプロセッサプログラムを非一時的に含有するか格納する、電子、磁気、光学、または他の物理デバイスあるいは手段である非一時的コンピュータまたはプロセッサ可読記憶媒体である。ロジックおよび／または情報は、インストラクション実行システム、装置、またはデバイスからインストラクションをフェッチし、ロジック、および／または情報に関連付けられたインストラクションを実行可能なコンピュータベースのシステム、プロセッサを含むシステムやその他のシステムなどの、インストラクション実行システム、装置、またはデバイスによって使用されるかこれらと接続される任意のコンピュータ可読媒体内で具体化可能である。
【０１３５】
本明細書の文脈において、「コンピュータ可読媒体」は、インストラクション実行システム、装置、および／またはデバイスによって使用されるかこれらに接続されるロジックおよび／または情報に関連付けられたプログラムを格納可能な任意の物理的要素である。コンピュータ可読媒体は、例えば、これらに限定されるものではないが、電子、磁気、光学、電磁、赤外線、または半導体システム、装置またはデバイスであり得る。コンピュータ可読媒体のより具体的な例（非網羅的リスト）には以下が含まれる：携帯用コンピュータディスケット（磁気、コンパクトフラッシュ（登録商標）カード、セキュアデジタル、等）、ランダム・アクセス・メモリ（ＲＡＭ）、リード・オンリー・メモリ（ＲＯＭ）、消去可能プログラマブル・リード・オンリー・メモリ（ＥＰＲＯＭ、ＥＥＰＲＯＭ、またはフラッシュメモリ）、携帯用コンパクトディスク・リード・オンリー・メモリ（ＣＤＲＯＭ）、デジタルテープ。
【０１３６】
上述の各種実施形態は、さらなる実施形態を提供するために組み合わせ可能である。ここに記載の特定の教示および定義と矛盾しない程度に、本明細書で言及した、および／または、アプリケーションのデータシートに記載されている、米国特許、米国特許出願公開、米国特許出願、外国特許、外国特許出願および非特許刊行物のすべては、以下に限定されるものではないが、以下の記載は、その全体が、参照として本明細書に組み込まれる。：２０１１年７月２６日付出願の米国仮特許出願整理番号６１／５１１，９００「APPATARUS, METHOD AND ARTICLE  FOR  COLLECTION，  CHARGING  AND  DISTRIBUTING  POWER  STORAGE  DEVICES，  SUCH  AS  BATTERIES」（代理人整理番号：１７０１７８．４０１Ｐ１）、２０１２年５月１６日付出願の米国仮特許出願整理番号６１／６４７，９３６「APPATARUS，  METHOD  AND  ARTICLE  FOR  COLLECTION，  CHARGING  AND  DISTRIBUTING  POWER  STORAGE  DEVICES，  SUCH  AS  BATTERIES」（代理人整理番号：１７０１７８．４０１Ｐ２）、２０１１年９月１４日付出願の米国仮特許出願整理番号６１／５３４，７５３「APPATARUS，  METHOD  AND  ARTICLE  FOR  REDISTRIBUTING  POWER  STORAGE  DEVICES，  SUCH  AS  BATTERIES，  BETWEEN  COLLECTION，  CHARGING  AND  DISTRIBUTING  MACHINES」（代理人整理番号：１７０１７８．４０２Ｐ１）、２０１１年９月１４日付出願の米国仮特許出願整理番号６１／５３４，７６１「APPATARUS，  METHOD  AND  ARTICLE  FOR  AUTHENTICATION，  SECURITY  AND  CONTROL  OF  POWER  STORAGE  DEVICES，  SUCH  AS  BATTERIES」（代理人整理番号：１７０１７８．４０３Ｐ１）、２０１１年９月１４日付出願の米国仮特許出願整理番号６１／５３４，７７２「APPATARUS，  METHOD  AND  ARTICLE  FOR  AUTHENTICATION，  SECURITY  AND  CONTROL  OF  POWER  STORAGE  DEVICES，  SUCH  AS  BATTERIES，  BASED  ON  USER  PROFILES」（代理人整理番号：１７０１７８．４０４Ｐ１）、２０１１年７月２６日付出願の米国仮特許出願整理番号６１／５１１，８８７「THERMAL  MANAGEMENT  OF  COMPONENTS  IN  ELECTRIC  MOTOR  DRIVE  VEHICLES」（代理人整理番号：１７０１７８．４０６Ｐ１）、２０１２年５月１６日付出願の米国仮特許出願整理番号６１／６４７，９４１「THERMAL  MANAGEMENT  OF  COMPONENTS  IN  ELECTRIC  MOTOR  DRIVE  VEHICLES」（代理人整理番号：１７０１７８．４０６Ｐ２）、２０１１年７月２６日付出願の米国仮特許出願整理番号６１／５１１，８８０「DYNAMICALLY  LIMITING  VEHICLE  OPERATION  FOR  BEST  EFFORT  ECONOMY」（代理人整理番号：１７０１７８．４０７Ｐ１）、２０１１年１１月８日付出願の米国仮特許出願整理番号６１／５５７，１７０「APPARATUS, METHOD AND ARTICLE FOR PHYSICAL SECURITY OF POWER STORAGE DEVICES IN VEHICLES」（代理人整理番号：１７０１７８．４０８Ｐ１）、２０１１年１２月２９日付出願の米国仮特許出願整理番号６１／５８１，５６６「APPARATUS, METHOD AND ARTICLE FOR A POWER STORAGE DEVICE COMPARTMENT」（代理人整理番号：１７０１７８．４１２Ｐ１）、２０１２年２月２１日付出願の米国仮特許出願整理番号６１／６０１，４０４「APPARATUS, METHOD AND ARTICLE FOR PROVIDING VEHICHLE DIAGNOSTIC DATA」（代理人整理番号：１７０１７８．４１７Ｐ１）、２０１２年２月２２日付出願の米国仮特許出願整理番号６１／６０１，９４９「APPARATUS, METHOD AND ARTICLE FOR PROVIDING LOCATIONS OF POWER STORAGE DEVICE COLLECTION, CHARGING AND DISTRIBUTION MACHINES」（代理人整理番号：１７０１７８．４１８Ｐ１）、および２０１２年２月２２日���出願の米国仮特許出願整理番号６１／６０１，９５３「APPARATUS, METHOD AND ARTICLE FOR PROVIDING INFORMATION REGARDING AVAILABILITY OF POWER STORAGE DEVICE COLLECTION, CHARGING AND DISTRIBUTION MACHINE」（代理人整理番号：１７０１７８．４１９Ｐ１）、２０１２年７月２６日付出願の米国出願整理番号１３／５５９，３１４、発明者：Hok-Sum Horace Luke, Matthew Whiting Taylor およびHuang-Cheng Hung、タイトル「APPARATUS, METHOD AND ARTICLE FOR COLLECTION, CHARGING AND DISTRIBUTING POWER STORAGE DEVICES, SUCH AS BATTERIES」（代理人整理番号：１７０１７８．４０１）、２０１２年７月２６日付出願の米国出願整理番号１３／５５９，２６４、発明者：Hok-Sum Horace LukeおよびMatthew Whiting Taylor、タイトル「DYNAMICALLY LIMITING VEHICLE OPERATION FOR BEST EFFORT ECONOMY」（代理人整理番号：１７０１７８．４０７）、２０１２年７月２６日付出願の米国出願整理番号１３／５５９，０５４、発明者：Matthew Whiting Taylor, Yi-Tsung Wu, Hok-Sum Horace LukeおよびHuang-Cheng Hung、タイトル「APPARATUS, METHOD AND ARTICLE FOR PHYSICAL SECURITY OF POWER STORAGE DEVICES IN VEHICHLES」（代理人整理番号：１７０１７８．４０８）、２０１２年７月２６日付出願の米国出願整理番号１３／５５９，３９０、発明者：Ching Chen, Hok-Sum Horace Luke, Matthew Whiting Taylor, Yi-Tsung Wu、タイトル「APPARATUS, METHOD AND ARTICLE FOR PROVIDING VEHICHLE DIAGNOSTIC DATA」（代理人整理番号：１７０１７８．４１７）、２０１２年７月２６日付出願の米国出願整理番号１３／５５９，３４３、発明者：Yi-Tsung Wu, Matthew Whiting Taylor, Hok-Sum Horace Luke, Jung-Hsiu Chen、タイトル「APPARATUS, METHOD AND ARTICLE FOR PROVIDING INFORMATION REGARDING AVAILAVILITY OF POWER STORAGE DEVICES AT A POWER STORAGE DEVICE COLLECTION, CHARGING AND DISTRIBUTION MACHINE」（代理人整理番号：１７０１７８．４１９）、２０１２年７月２６日付出願の米国出願整理番号１３／５５９，６０４、発明者：Hok-Sum Horace Luke, Yi-Tsung Wu, Jung-Hsiu Chen, Yulin Wu, Chien Ming Huang, TsungTing Chan, Shen-Chi Chen, Feng Kai Yang、タイトル「APPARATUS, METHOD AND ARTICLE FOR RESERVING POWER STORAGE DEVICES AT RESERVING POWER STORAGE DEVICE COLLECTION, CHARGING AND DISTRIBUTION MACHINES」（代理人整理番号：１７０１７８．４２３）、２０１３年３月６日付出願の米国出願整理番号１３／７７３，６２１、発明者：Hok-Sum Horace Luke, Ching Chen、タイトル「APPARATUS, METHOD AND ARTICLE FOR AUTHENTICATION, SECURITY AND CONTROL OF PORTABLE CHARGING DEVICES AND POWER STORAGE DEVICES, SUCH AS BATTERIES」（代理人整理番号：１７０１７８．４２８Ｐ１）、および２０１３年９月３日付出願の米国出願整理番号１４／０１７，０９０、発明者：Hok-Sum Horace Luke, Ching Chen、タイトル「APPARATUS, METHOD AND ARTICLE FOR AUTHENTICATION, SECURITY AND CONTROL OF PORTABLE CHARGING DEVICES AND POWER STORAGE DEVICES, SUCH AS BATTERIES」（代理人整理番号：１７０１７８．４２８）。必要に応じて、実施形態の態様は、さらなる実施形態を提供するために各種特許、出願および公開のシステム、回路および概念を採用して修正し得る。
【０１３７】
完全電気スクータまたはオートバイなどの個人輸送車両で使用するための携帯用電気エネルギー貯蔵装置の収集、充電および分配の環境および文脈を一般的に説明したが、本明細書の教示は、他のさまざまな環境に適用することができ、他の車両並びに非車両環境を含む。
【０１３８】
開示の要約書に記載されているものを含む図示された実施形態の上記説明は、網羅的であることまたは開示された正確な形態に実施形態を限定することを意図していない。特定の実施形態および実施例は例示の目的のために本明細書に記載されているが、当業者によって認識されるように、種々の等価の改変を本開示の精神および範囲から逸脱することなく行うことができる。
【０１３９】
これらおよび他の変更は、上記詳細な説明に照らして実施形態に対して行い得る。一般的には、以下の特許請求の範囲において、使用される用語は、明細書に開示された特定の実施形態および特許請求の範囲を特許請求の範囲を限定するように解釈されるべきではなく、特許請求の範囲が意図するそれらの等価物の全範囲とともにすべての可能な実施形態を含むと解釈されるべきである。したがって、特許請求の範囲は、開示によって限定されるものではない。
【図１】
0006449790.tif 000002
【図２】
0006449790.tif 000003
【図３Ａ】
0006449790.tif 000004
【図３Ｂ】
0006449790.tif 000005
【図３Ｃ】
0006449790.tif 000006
【図４】
0006449790.tif 000007
【図５】
0006449790.tif 000008
【図６】
0006449790.tif 000009
【図７】
0006449790.tif 000010